(57)【要約】  ユーザにとって容易且つ確実に操作が可能な生体情報測定装置を提供する。生体情報を取得して前記生体情報に関する測定データを生成する生体情報測定装置１００は、装置本体１と、装置本体１に脱着可能に取り付けられるパネル３とを備える。装置本体１は、装置本体１の複数の機能を実行する制御ユニット１０と、制御ユニット１０に接続され測定データを生成する生体情報測定部９と、制御ユニット１０に接続された第１の通信ユニット８とを有する。パネル３は、所定の情報を格納したメモリ７１を含む第２の通信ユニット７を有する。パネル３が装置本体１に装着されたとき、第１の通信ユニット８は、第２の通信ユニット７より所定の情報を受信する。制御ユニット１０は、受信された所定の情報に対応する、複数の機能のうち少なくとも一つの機能を選択し、実行する。
2012127870.tif 000002
【特許請求の範囲】
【請求項１】
生体情報を取得して前記生体情報に関する測定データを生成する生体情報測定装置であって、
装置本体と、前記装置本体に脱着可能に取り付けられるパネルとを備え、
前記装置本体は、前記装置本体の複数の機能を実行する制御ユニットと、前記制御ユニットに接続され、前記測定データを生成する生体情報測定部と、前記制御ユニットに接続された第１の通信ユニットとを有し、
前記パネルは、所定の情報を格納したメモリを含む第２の通信ユニットを有し、
前記パネルが前記装置本体に装着されたとき、前記第１の通信ユニットは、前記第２の通信ユニットより前記所定の情報を受信し、
前記制御ユニットは、受信された前記所定の情報に対応する、前記複数の機能のうち少なくとも一つの機能を選択し、実行する、生体情報測定装置。
【請求項２】
前記第１の通信ユニットはアンテナであり、前記第２の通信ユニットはＲＦ−ＩＤユニットである、請求項１に記載の生体情報測定装置。
【請求項３】
前記第１の通信ユニットと前記第２の通信ユニットは、前記パネルが前記装置本体に装着されたとき、対向するように前記装置本体及び前記パネルにそれぞれ配置されている、請求項１に記載の生体情報測定装置。
【請求項４】
前記制御ユニットはプログラムメモリを更に有し、
前記所定の情報は、前記制御ユニットのプログラムメモリに格納され、前記少なくとも一つの機能を実行するための制御プログラムに対応する情報である、請求項１に記載の生体情報測定装置。
【請求項５】
前記所定の情報は、前記制御ユニットが実行する前記少なくとも一つの機能を実行する制御プログラムである、請求項１に記載の生体情報測定装置。
【請求項６】
前記制御ユニットは、前記測定データを格納するデータ記憶部を更に有し、
前記制御プログラムは、前記データ記憶部へ前記測定データを格納することを禁ずる機能を実行するためのプログラムである、請求項４又は５に記載の生体情報測定装置。
【請求項７】
前記装置本体は、前記制御ユニットに接続され、前記測定データを表示する本体表示部を更に有し、
前記制御プログラムは、前記本体表示部において前記測定データを拡大又は縮小表示させる機能を実行するためのプログラムである、
請求項４又は５に記載の生体情報測定装置。
【請求項８】
前記装置本体は、前記制御ユニットに接続され、他の装置との通信を行う通信部を更に有し、
前記制御プログラムは、前記測定データを前記通信部より他の装置へ送信するプログラムである、請求項４又は５に記載の生体情報測定装置。
【請求項９】
前記装置本体は、前記制御ユニットに接続され、情報を切替可能に表示する本体表示部を更に有し、
前記制御プログラムは、前記本体表示部に医療従事者用のメニューを表示させ、医療従事者用の処理を行うためのプログラムである、請求項４又は５に記載の生体情報測定装置。
【請求項１０】
前記装置本体は、前記制御ユニットに接続された音声出力部を有し、
前記制御ユニットは、受信された前記所定の情報に応じて、前記音声出力部により音声を出力させる、請求項１に記載の生体情報測定装置。
【請求項１１】
前記パネルは、音出力部を有し、
前記装置本体に前記パネルが装着された際に、前記制御ユニットと前記音出力部とが接続され、
前記制御ユニットは、受信された前記所定の情報に応じて、前記生体情報の測定に関するデータを前記音出力部により可聴音にして出力させる、請求項１に記載の生体情報測定装置。
【請求項１２】
前記装置本体は、前記制御ユニットに接続され、警報を発する警報部を更に有し、
前記制御ユニットは、前記第１の通信ユニットと前記第２の通信ユニットとの通信が停止していると判定したとき、(ｉ)前記通信停止の判定から所定時間以上経過したこと、及び（ｉｉ）前記測定データが異常値を示すこと、の少なくとも一つの条件が満たされた場合、前記警報部より警報を発する、請求項１に記載の生体情報測定装置。
【請求項１３】
前記装置本体は、前記制御ユニットに接続され、情報を切替可能に表示する本体表示部を更に有し、
前記制御ユニットは、前記第１の通信ユニットと前記第２の通信ユニットとの通信が停止していることを判定したとき、(ｉ)前記通信停止の判定から所定時間以上経過したこと、及び（ｉｉ）前記測定データが異常値を示すこと、の少なくとも一つの条件が満たされた場合、前記本体表示部に警告情報を表示させる、請求項１に記載の生体情報測定装置。
【請求項１４】
前記装置本体は、前記制御ユニットに接続され、他の装置との通信を行う通信部と、前記制御ユニットに接続され、本装置の現在位置情報を取得する現在位置取得部と、を更に有し、
前記制御ユニットは、前記第１の通信ユニットと前記第２の通信ユニットとの通信が停止していると判定したとき、(ｉ)前記通信停止の判定から所定時間以上経過したこと、及び（ｉｉ）前記測定データが異常値を示すこと、の少なくとも一つの条件が満たされた場合、前記現在位置情報を前記通信部より他の装置へ送信する、請求項１に記載の生体情報測定装置。
【請求項１５】
前記装置本体は、前記制御ユニットに接続され、他の装置との通信を行う通信部を更に有し、
前記制御ユニットは、前記第１の通信ユニットと前記第２の通信ユニットとの通信が停止していると判定したとき、(ｉ)前記通信停止の判定から所定時間以上経過したこと、及び（ｉｉ）前記測定データが異常値を示すこと、の少なくとも一つの条件が満たされた場合、前記通信部を介して、前記他の装置より前記測定データに応じた指示情報を取得する、請求項１に記載の生体情報測定装置。
【請求項１６】
前記パネルは、前記所定の情報に対応する機能情報を表示する機能表示部を更に有する、請求項１に記載の生体情報測定装置。
【請求項１７】
前記装置本体は、前記制御ユニットに接続され、情報を切替可能に表示する本体表示部を有し、
前記制御ユニットは、前記本体表示部に対し、前記パネルの前記機能表示部に表示された機能情報に対応する情報を表示させる、請求項１６に記載の生体情報測定装置。
【請求項１８】
前記装置本体は、側面部にダイアルを有し、
前記制御ユニットは、前記ダイアルの操作により、前記本体表示部において前記機能情報又は前記装置本体による測定に関する情報を拡大表示又は縮小表示させる、請求項１７に記載の生体情報測定装置。
【請求項１９】
前記パネルの前記機能表示部に表示された機能情報は、本装置の操作マニュアルを示す、請求項１７に記載の生体情報測定装置。
【請求項２０】
前記制御ユニットは、前記装置本体により前記生体情報を測定する間、前記測定の各工程に対応する操作マニュアルの内容を、前記装置本体による前記測定の進捗状況に応じて、前記本体表示部に表示させる、請求項１９に記載の生体情報測定装置。
【請求項２１】
生体情報を取得して前記生体情報に関する測定データを生成する生体情報測定装置であって、
装置本体と、前記装置本体に脱着可能に取り付けられるパネルと、を備え、
前記装置本体は、前記装置本体の複数の機能を実行する制御ユニットと、前記制御ユニットに接続され、前記測定データを生成する生体情報測定部と、前記制御ユニットに接続されたアンテナとを有し、
前記パネルは、所定の情報を格納したメモリを含むＲＦ−ＩＤユニットを有し、
前記パネルが前記装置本体に装着されたとき、前記アンテナと前記ＲＦ−ＩＤユニットは通信可能に対向するように前記装置本体及び前記パネルにそれぞれ配されている、生体情報測定装置。
【請求項２２】
生体情報を取得して前記生体情報に関する測定データを生成する生体情報測定装置セットであって、
一つの装置本体と、前記装置本体に交換可能に取り付けられる複数のパネルとを備え、
前記装置本体は、前記装置本体の複数の機能を実行する制御ユニットと、前記制御ユニットに接続され、前記測定データを生成する生体情報測定部と、前記制御ユニットに接続された第１の通信ユニットとを有し、
前記複数のパネルはそれぞれ、異なる所定の情報を格納したメモリを含む第２の通信ユニットを有し、
前記複数のパネルの一つが前記装置本体に装着されたとき、前記第１の通信ユニットは、前記一つのパネルの前記第２の通信ユニットより前記所定の情報を受信し、
前記制御ユニットは、受信された前記所定の情報に対応する、前記複数の機能のうち少なくとも一つの機能を選択し、実行する、生体情報測定装置セット。
【請求項２３】
生体情報を取得して前記生体情報に関する測定データを生成する生体情報測定装置であって、
装置本体と、前記装置本体に、所定の情報を格納したメモリを有するパネルを着脱自在に装着できるパネル装着部とを備え、
前記装置本体は、前記生体情報測定装置の複数の機能を実行する制御ユニットと、前記制御ユニットに接続され、前記測定データを生成する生体情報測定部とを有し、
前記所定の情報は、前記パネルが前記パネル装着部に装着されたとき、前記パネルのメモリより入力され、
前記制御ユニットは、入力された前記所定の情報に対応する、前記複数の機能のうち少なくとも一つの機能を選択し、実行する、生体情報測定装置。
【請求項２４】
生体情報を取得して前記生体情報に関する測定データを生成する生体情報測定装置であって、
装置本体と  前記装置本体に、識別情報を判別するための識別部を有するパネルを着脱自在に装着できるパネル装着部とを備え、
前記装置本体は、前記装置本体の複数の機能を実行する制御ユニットと、前記制御ユニットに接続され、前記測定データを生成する生体情報測定部とを有し、
前記制御ユニットは、前記パネルが前記パネル装着部に装着されたとき、前記パネルの前記識別部から前記識別情報を判別し、
前記制御ユニットは、判別した前記識別情報に対応する、前記複数の機能のうち少なくとも一つの機能を選択し、実行する、生体情報測定装置。
【請求項２５】
生体情報を取得して前記生体情報に関する測定データを生成する生体情報測定装置であって、
装置本体と  前記装置本体に、温度を測定するための温度センサを有するパネルを着脱自在に装着できるパネル装着部とを備え、
前記装置本体は、前記装置本体の複数の機能を実行する制御ユニットと、前記制御ユニットに接続され、前記測定データを生成する生体情報測定部とを有し、
前記制御ユニットは、前記パネルが前記パネル装着部に装着されたとき、前記パネルの前記温度センサから測定温度を受信し、
前記制御ユニットは、前記測定温度に基づいて、前記生体情報測定部が測定したデータを補正する、生体情報測定装置。
【請求項２６】
生体情報を取得して前記生体情報に関する測定データを生成する生体情報測定装置であって、
装置本体と  前記装置本体に、測定対象を識別する識別コードを有するパネルを着脱自在に装着できるパネル装着部とを備え、
前記装置本体は、前記装置本体の複数の機能を実行する制御ユニットと、前記制御ユニットに接続され、前記測定データを生成する生体情報測定部とを有し、
前記制御ユニットは、前記パネルが前記パネル装着部に装着されたとき、前記パネルの識別コードに基づいて測定対象を判別し、
前記制御ユニットは、前記判別された測定対象に基づいて、前記生体情報測定部に測定を実行させる、生体情報測定装置。
【請求項２７】
生体情報を取得して前記生体情報に関する測定データを生成する生体情報測定装置であって、
装置本体と  前記装置本体に、地域を識別する識別コードを有するパネルを装着できるパネル装着部とを備え、
前記装置本体は、前記装置本体の複数の機能を実行する制御ユニットと、前記制御ユニットに接続され、前記測定データを生成する生体情報測定部とを有し、
前記制御ユニットは、前記パネルが前記パネル装着部に装着されたとき、前記パネルの識別コードに基づいて地域を判別し、
前記制御ユニットは、前記判別された地域に基づいて、前記複数の機能のうち少なくとも一つの機能を選択し、実行する、生体情報測定装置。
【発明の詳細な説明】
【技術分野】
【０００１】
本発明は、例えば、血液等の生体情報を取得し、生体情報に関する測定データを生成する装置に関する。
【背景技術】
【０００２】
生体情報測定装置、例えば血糖値測定装置は、ユーザ自身が携帯し、ユーザ自ら血糖値を測定するのに用いる。血糖値の測定は、血糖値測定装置に使い捨ての血糖値センサチップを装着して、その血糖値センサチップに、別の穿刺装置により指などの皮膚を穿刺し、その皮膚から滲出した少量の血液を点着することにより行われる。【０００３】
このような血糖値測定装置は電子機器であるため、血糖値の測定に限らず、ユーザに応じて測定結果の表示態様を変更したり、測定モードから他の機能モードへ切り替えたり（例えば、特許文献１参照）、緊急信号を発信したり（例えば、特許文献２参照）する等、多機能に設計することが可能である。【０００４】
一方で、血糖値測定装置のユーザは、高齢者や病人が多く、小さなボタンを操作することが困難なことが多い。そこで、ボタン操作の煩わしさをなるべく回避するため、例えば、ユーザが装置の設定変更する際に測定用の血糖値センサチップの代わりに機能切替用のチップを装着する方法が開示されている（例えば、特許文献１参照）。
【先行技術文献】
【特許文献】
【０００５】
【特許文献１】特開２００５−１４７６８８号公報
【特許文献２】特開２００４−２２１９２６号公報
【発明の概要】
【発明が解決しようとする課題】
【０００６】
上記特許文献１による血糖値測定装置においては、ボタン操作を回避することができる。しかし、機能切替用のチップは、通常の血糖値の測定を行う際に装置から取り外さなければならない。また、機能切替用チップが一旦取り外されて装置との関連性が失われてしまうと、どの機能に応じた設定が行われたのかが分からなくなり、ユーザが操作に迷う可能性がある。そこで本発明は、ユーザにとって容易且つ確実に操作が可能な生体情報測定装置を提供することを目的とする。
【課題を解決するための手段】
【０００７】
一の観点に係る生体情報測定装置は、生体情報を取得して生体情報に関する測定データを生成する生体情報測定装置であって、装置本体と、装置本体に脱着可能に取り付けられるパネルとを備える。装置本体は、装置本体の複数の機能を実行する制御ユニットと、制御ユニットに接続され測定データを生成する生体情報測定部と、制御ユニットに接続された第１の通信ユニットとを有する。パネルは、所定の情報を格納したメモリを含む第２の通信ユニットを有する。パネルが装置本体に装着されたとき、第１の通信ユニットは、第２の通信ユニットより所定の情報を受信する。制御ユニットは、受信された所定の情報に対応する、複数の機能のうち少なくとも一つの機能を選択し、実行する。【０００８】
上記生体情報測定装置によれば、パネルを取り付けるだけで所定の機能を選択し実行できるため、ユーザは容易且つ確実に生体情報測定装置を操作することができる。【０００９】
上記生体情報測定装置において、第１の通信ユニットはアンテナであり、第２の通信ユニットはＲＦ−ＩＤユニットであってもよい。【００１０】
上記生体情報測定装置において、第１の通信ユニットと第２の通信ユニットは、パネルが装置本体に装着されたとき、対向するように装置本体及びパネルにそれぞれ配置されていてもよい。【００１１】
上記生体情報測定装置において、制御ユニットはプログラムメモリを更に有し、所定の情報は、制御ユニットのプログラムメモリに格納され、少なくとも一つの機能を実行するための制御プログラムに対応する情報であってもよい。【００１２】
上記生体情報測定装置において、所定の情報は、制御ユニットが実行する少なくとも一つの機能を実行する制御プログラムであってもよい。【００１３】
上記生体情報測定装置において、制御ユニットは、測定データを格納するデータ記憶部を更に有し、制御プログラムは、データ記憶部へ測定データを格納することを禁ずる機能を実行するためのプログラムであってもよい。【００１４】
上記生体情報測定装置において、装置本体は、制御ユニットに接続され測定データを表示する本体表示部を更に有し、制御プログラムは、本体表示部において測定データを拡大又は縮小表示させる機能を実行するためのプログラムであってもよい。【００１５】
上記生体情報測定装置において、装置本体は、制御ユニットに接続され他の装置との通信を行う通信部を更に有し、制御プログラムは、測定データを通信部より他の装置へ送信するプログラムであってもよい。【００１６】
上記生体情報測定装置において、装置本体は、制御ユニットに接続され情報を切替可能に表示する本体表示部を更に有し、制御プログラムは、本体表示部に医療従事者用のメニューを表示させ、医療従事者用の処理を行うためのプログラムであってもよい。【００１７】
上記生体情報測定装置において、装置本体は、制御ユニットに接続された音声出力部を有し、制御ユニットは、受信された所定の情報に応じて音声出力部により音声を出力させるようにしてもよい。【００１８】
上記生体情報測定装置において、パネルは音出力部を有し、装置本体にパネルが装着された際に制御ユニットと音出力部とが接続されるようにしてもよい。この場合、制御ユニットは、受信された所定の情報に応じて、生体情報の測定に関するデータを音出力部により可聴音にして出力させる。【００１９】
上記生体情報測定装置において、装置本体は、制御ユニットに接続され警報を発する警報部を更に有するようにしてもよい。この場合、制御ユニットは、第１の通信ユニットと第２の通信ユニットとの通信が停止していることを判定したとき、(ｉ)通信停止の判定から所定時間以上経過したこと、及び（ｉｉ）測定データが異常値を示すこと、の少なくとも一つの条件が満たされた場合、警報部より警報を発する。【００２０】
上記生体情報測定装置において、装置本体は、制御ユニットに接続され情報を切替可能に表示する本体表示部を更に有するようにしてもよい。この場合、制御ユニットは、第１の通信ユニットと第２の通信ユニットとの通信が停止していることを判定したとき、(ｉ)通信停止の判定から所定時間以上経過したこと、及び（ｉｉ）測定データが異常値を示すこと、の少なくとも一つの条件が満たされた場合、本体表示部に警告情報を表示させる。【００２１】
上記生体情報測定装置において、装置本体は、制御ユニットに接続され他の装置との通信を行う通信部と、制御ユニットに接続され本装置の現在位置情報を取得する現在位置取得部とを更に有するようにしてもよい。この場合、制御ユニットは、第１の通信ユニットと第２の通信ユニットとの通信が停止していることを判定したとき、(ｉ)通信停止の判定から所定時間以上経過したこと、及び（ｉｉ）測定データが異常値を示すこと、の少なくとも一つの条件が満たされた場合、現在位置情報を通信部より他の装置へ送信する。【００２２】
上記生体情報測定装置において、装置本体は、制御ユニットに接続され他の装置との通信を行う通信部を更に有するようにしてもよい。この場合、制御ユニットは、第１の通信ユニットと第２の通信ユニットとの通信が停止していることを判定したとき、(ｉ)通信停止の判定から所定時間以上経過したこと、及び（ｉｉ）測定データが異常値を示すこと、の少なくとも一つの条件が満たされた場合、通信部を介して、他の装置より測定データに応じた指示情報を取得する。【００２３】
上記生体情報測定装置において、パネルは、所定の情報に対応する機能情報を表示する機能表示部を更に有するようにしてもよい。【００２４】
上記生体情報測定装置において、装置本体は、制御ユニットに接続され情報を切替可能に表示する本体表示部を有するようにしてもよい。この場合、制御ユニットは、本体表示部に対し、パネルの機能表示部に表示された機能情報に対応する情報を表示させる。【００２５】
上記生体情報測定装置において、装置本体は側面部にダイアルを有し、制御ユニットは、ダイアルの操作により、本体表示部において機能情報又は装置本体による測定に関する情報を拡大表示又は縮小表示させるようにしてもよい。【００２６】
上記生体情報測定装置において、パネルの機能表示部に表示された機能情報は、本装置の操作マニュアルを示すようにしてもよい。【００２７】
上記生体情報測定装置において、制御ユニットは、装置本体により生体情報を測定する間、測定の各工程に対応する操作マニュアルの内容を、装置本体による測定の進捗状況に応じて、本体表示部に表示させるようにしてもよい。【００２８】
他の観点に係る生体情報測定装置は、生体情報を取得して生体情報に関する測定データを生成する生体情報測定装置であって、装置本体と、装置本体に脱着可能に取り付けられるパネルとを備える。装置本体は、装置本体の複数の機能を実行する制御ユニットと、制御ユニットに接続され測定データを生成する生体情報測定部と、制御ユニットに接続されたアンテナとを有する。パネルは、所定の情報を格納したメモリを含むＲＦ−ＩＤユニットを有する。パネルが装置本体に装着されたとき、アンテナとＲＦ−ＩＤユニットは通信可能に対向するように装置本体及びパネルにそれぞれ配されている。【００２９】
更に別の観点に係る生体情報測定装置セットは、生体情報を取得して生体情報に関する測定データを生成する生体情報測定装置セットであって、一つの装置本体と、装置本体に交換可能に取り付けられる複数のパネルとを備える。装置本体は、装置本体の複数の機能を実行する制御ユニットと、制御ユニットに接続され測定データを生成する生体情報測定部と、制御ユニットに接続された第１の通信ユニットとを有する。複数のパネルはそれぞれ、異なる所定の情報を格納したメモリを含む第２の通信ユニットを有する。複数のパネルの一つが装置本体に装着されたとき、第１の通信ユニットは、その一つのパネルの第２の通信ユニットより所定の情報を受信する。制御ユニットは、受信された所定の情報に対応する、複数の機能のうち少なくとも一つの機能を選択し、実行する。【００３０】
更に別の観点に係る生体情報測定装置は、生体情報を取得して前記生体情報に関する測定データを生成する生体情報測定装置であって、装置本体と、装置本体に、所定の情報を格納したメモリを有するパネルを着脱自在に装着できるパネル装着部と、を備える。装置本体は、生体情報測定装置の複数の機能を実行する制御ユニットと、制御ユニットに接続され、測定データを生成する生体情報測定部と、を有する。所定の情報は、パネルがパネル装着部に装着されたとき、パネルのメモリより入力される。制御ユニットは、入力された所定の情報に対応する、複数の機能のうち少なくとも一つの機能を選択し、実行する。【００３１】
更に別の観点に係る生体情報測定装置は、生体情報を取得して生体情報に関する測定データを生成する生体情報測定装置であって、装置本体と、装置本体に、識別情報を判別するための識別部を有するパネルを着脱自在に装着できるパネル装着部と、を備える。装置本体は、装置本体の複数の機能を実行する制御ユニットと、制御ユニットに接続され、測定データを生成する生体情報測定部と、を有する。制御ユニットは、パネルがパネル装着部に装着されたとき、パネルの識別部から識別情報を判別する。制御ユニットはまた、判別した識別情報に対応する、複数の機能のうち少なくとも一つの機能を選択し、実行する。【００３２】
更に別の観点に係る生体情報測定装置は、生体情報を取得して生体情報に関する測定データを生成する生体情報測定装置であって、装置本体と、装置本体に、温度を測定するための温度センサを有するパネルを着脱自在に装着できるパネル装着部と、を備える。装置本体は、装置本体の複数の機能を実行する制御ユニットと、制御ユニットに接続され、測定データを生成する生体情報測定部と、を有する。制御ユニットは、パネルがパネル装着部に装着されたとき、パネルの温度センサから測定温度を受信する。制御ユニットはまた、測定温度に基づいて、生体情報測定部が測定したデータを補正する。【００３３】
更に別の観点に係る生体情報測定装置は、生体情報を取得して生体情報に関する測定データを生成する生体情報測定装置であって、装置本体と、装置本体に、測定対象を識別する識別コードを有するパネルを着脱自在に装着できるパネル装着部と、を備える。装置本体は、装置本体の複数の機能を実行する制御ユニットと、制御ユニットに接続され、測定データを生成する生体情報測定部と、を有する。制御ユニットは、パネルがパネル装着部に装着されたとき、パネルの識別コードに基づいて測定対象を判別する。制御ユニットはまた、判別された測定対象に基づいて、生体情報測定部に測定を実行させる。【００３４】
更に別の観点に係る生体情報測定装置は、生体情報を取得して生体情報に関する測定データを生成する生体情報測定装置であって、装置本体と、装置本体に、地域を識別する識別コードを有するパネルを着脱自在に装着できるパネル装着部と、を備える。装置本体は、装置本体の複数の機能を実行する制御ユニットと、制御ユニットに接続され、測定データを生成する生体情報測定部と、を有する。制御ユニットは、パネルがパネル装着部に装着されたとき、パネルの識別コードに基づいて地域を判別する。制御ユニットはまた、判別された地域に基づいて、複数の機能のうち少なくとも一つの機能を選択し、実行する。
【発明の効果】
【００３５】
以上のように本発明によれば、ユーザは容易且つ確実に生体情報測定装置の操作を行うことができる。
【図面の簡単な説明】
【００３６】
【図１】第１実施形態に係る血糖値測定装置の斜視図
【図２】第１実施形態に係る血糖値測定装置のパネルを外した状態を示す斜視図
【図３】第１実施形態に係る血糖値測定装置の正面図
【図４】第１実施形態に係る血糖値測定装置の制御ユニットの構成図
【図５】第１実施形態に係る血糖値測定装置の制御ユニットによる処理を示すフローチャート
【図６】第１実施形態のパネル例１による血糖値測定装置の正面図
【図７】第１実施形態のパネル例２による血糖値測定装置の正面図
【図８】第１実施形態のパネル例３による血糖値測定装置の正面図
【図９】第１実施形態のパネル例４による血糖値測定装置の正面図
【図１０】第１実施形態のパネル例４による血糖値測定装置の制御ユニットによる処理を示すフローチャート
【図１１】第１実施形態の変形例に係る血糖値測定装置の制御ユニットによる処理を示すフローチャート
【図１２】第２実施形態に係る血糖値測定装置の制御ユニットの構成図
【図１３】第２実施形態に係る血糖値測定装置の制御ユニットによる処理を示すフローチャート
【図１４】第２実施形態の変形例に係る血糖値測定装置の制御ユニットの構成図
【図１５】第３実施形態に係る血糖値測定装置のパネルを外した状態を示す正面図
【図１６】第３実施形態に係る血糖値測定装置の使用状態を示す、一部拡大した正面図
【図１７】第３実施形態の実施例２に係る血糖値測定装置のパネルを外した状態を示す正面図
【図１８】同実施例２に係る血糖値測定装置の本体表示部の拡大図
【図１９】同実施例２に係る血糖値測定装置の本体表示部の別の拡大図
【図２０】第３実施形態の実施例３に係る血糖値測定装置のパネルを外した状態を示す正面図
【図２１】同実施例３に係る血糖値測定装置の使用状態を示す正面図
【図２２】第３実施形態の実施例４に係る血糖値測定装置のパネルを外した状態を示す正面図
【図２３】同実施例４に係る血糖値測定装置の使用状態を示す正面図
【図２４】本発明の第４実施形態に係る血糖値測定装置のパネルを外した状態を示す斜視図
【図２５】第４実施形態に係る血糖値測定値の要部拡大斜視図
【図２６】第４実施形態に係る血糖値測定値の内部拡大斜視図
【図２７】第４実施形態に係る血糖値測定値の内部拡大斜視図
【図２８】第４実施形態に係る血糖値測定値の制御ユニットの構成図
【図２９】血糖値測定における温度特性を示す特性図
【図３０】第４実施形態の変形例１に係る血糖値測定値の斜視図
【図３１】同変形例１に係る血糖値測定値のパネルの拡大斜視図
【図３２】第４実施形態の変形例２に係る血糖値測定値の斜視図
【図３３】同変形例２に係る血糖値測定値のパネルの拡大斜視図
【図３４】第４実施形態の変形例３に係る血糖値測定値のパネルを外した状態を示す斜視図
【図３５】第５実施形態に係る血糖値測定値のパネルを外した状態を示す正面図
【図３６】第５実施形態に係る血糖値測定値の制御ユニットの構成図
【図３７Ａ】第５実施形態に係る血糖値測定装置の制御ユニットによる処理を示すフローチャート
【図３７Ｂ】第５実施形態に係る血糖値測定装置の制御ユニットによる処理を示すフローチャート
【図３７Ｃ】第５実施形態に係る血糖値測定装置の制御ユニットによる処理を示すフローチャート
【図３８】第６実施形態に係る血糖値測定値のパネルを外した状態を示す正面図
【図３９】第６実施形態に係る血糖値測定値の制御ユニットの構成図
【図４０】第７実施形態に係る血糖値測定値のパネルを外した状態を示す正面図
【図４１】第８実施形態に係る血糖値測定値のパネルを外した状態を示す正面図
【図４２】第９実施形態に係る血糖値測定値のパネルを外した状態を示す正面図
【発明を実施するための形態】
【００３７】
＜１  第１実施形態＞
＜１．１  血糖値測定装置の構成＞
図１及び図２は、本発明の第１実施形態に係る血糖値測定装置（生体情報測定装置の一例として示す）１００の外観を示す。
【００３８】
図１に示すように、本実施形態に係る血糖値測定装置１００は、装置本体１と、装置本体１に対し脱着可能に取り付けられる板状体のパネル３とから構成される。ユーザは、装置本体１のセンサ挿入口４に使い捨ての血糖値センサチップＳＣを挿入・装着する。別の穿刺装置によりユーザの指などの皮膚を穿刺し、その皮膚から滲出した少量の血液を、血糖値センサチップＳＣに点着する。それにより、血糖値を測定する。また、ユーザは、図２に示すように、パネル３を装置本体１から外して、電池６１の交換を行うことができる。
【００３９】
＜１．１．１  装置本体の構成＞
図２に示すように、装置本体１は、ほぼ長方形状を有する。装置本体１は、表面に設けられた本体表示部２と、上方端部に設けられたセンサ挿入口４と、片方側部に操作部５と、パネル３により被覆される部分に電池６１を装着する電池収納部６と、後述するＲＦ−ＩＤ読取アンテナ８（第１の通信ユニット）と、パネル３を装置本体１に固定する係合部５１，５２を備える。なお、装置本体１は、図２に示すように、本体表示部２を除く部分においてパネル３を装着できる部分（パネル装着部）を形成する。
【００４０】
本体表示部２は、液晶や有機ＥＬ等のディスプレイであり、測定された血糖値や機能メニュー等の情報をユーザに対し表示する。
【００４１】
センサ挿入口４は、血糖値センサチップＳＣを装置本体１に装着するためのセンサチップの挿入口である。
【００４２】
操作部５は、ユーザが指で触れて装置の操作を行うボタン、スイッチ、スライド、レバー、ダイアル等である。
【００４３】
電池収納部６は、血糖値測定装置１００の電源である電池６１を収納し、装着させる。電池６１は、ここでは使い捨てのボタン電池を使用しているが、これに限定されるものではなく、アルカリ乾電池、又は、リチウムイオン等の充電可能な電池でもよい。
【００４４】
ＲＦ−ＩＤ読取アンテナ８は、後述するように、パネル３に設けられたＲＦ−ＩＤユニットの情報を読み取り、後述する制御ユニットに送信する。
【００４５】
係合部５１，５２は、パネル３を装着する際に、パネル３の対応する部分と係合して、パネル３を装置本体１に固定させる機構を備える。
【００４６】
＜１．１．２  パネルの構成＞
パネル３は、板状体であり、装置本体１に装着されると共に、電池６１のカバーとしても機能する。パネル３は、その裏面側に固着されたＲＦ−ＩＤタグ（第２の通信ユニット）７を有する。ここで、ＲＦ−ＩＤタグは、電磁界や電波等を用いて近距離で無線通信を行うＩＣタグ（又はＩＣチップ）等である。本実施形態では後述するようにパッシブタイプのＲＦ−ＩＤタグを用いるが、アクティブタイプを用いることも可能である。
【００４７】
図３に示すように、パネル３を装置本体１に装着した際、ＲＦ−ＩＤタグ７に対向する装置本体１の部分には、ＲＦ−ＩＤ読取アンテナ８が設けられている。パネル３が装置本体１に装着されると、パネル３に設けたＲＦ−ＩＤタグ７と装置本体１に設けたＲＦ−ＩＤ読取アンテナ８とが通信可能な状態になり、ＲＦ−ＩＤタグ７の情報がＲＦ−ＩＤ読取アンテナ８によって読み取られる。また、後述するように、この読み取りにより、装置本体１はパネル３が装着されたことも判定する。
【００４８】
なお、本実施形態のような血糖値測定装置１００においては、個々のユーザの好みに応じて、パネル３を交換使用したいとの要望が多くなっている。このような要望に応えるため、パネル３の生産台数は極めて多くなっており、パネル３にＲＦ−ＩＤタグ７を取り付けてパネルの生産管理を行うことがある。ＲＦ−ＩＤタグ７は、後述するメモリ７１内に、パネル３の生産管理情報を格納する。本実施形態においては、このようにパネル３に取り付けられたＲＦ−ＩＤタグ７を利用して、以下に述べるように実施形態を実施する。
【００４９】
ここで、パネル３側のＲＦ−ＩＤタグ７及び装置本体１側のＲＦ−ＩＤ読取アンテナ８は、極めて近距離の無線通信用であり、両者の距離は、パネル３が適切に装置本体１に装着して初めて通信が可能となる程度の距離間に設定されている。
【００５０】
＜１．２  制御ユニット＞
図４は、血糖値測定装置１００の装置本体１の内部に設けられた制御ユニット１０の構成を示す。図４に示すように、制御ユニット１０は、制御部１１と、プログラムメモリ１２と、制御プログラム指示部１３と、データ記憶部１４と、通信部１５と、リーダ／ライタ１６とを有する。
【００５１】
制御部１１は、装置本体１の本体表示部２、操作部５、及び血糖値測定部９に接続されている。制御部１１は、本体表示部２に情報の表示を指令する。制御部１１はまた、ユーザにより操作された操作部５からの信号に応じて、対応する制御指令を生成し、各部に送信する。
【００５２】
制御部１１に接続される血糖値測定部９は、センサ挿入口４より挿入された血糖値センサチップＳＣに点着された血糖値を測定する。具体的には、まず、血糖値センサチップＳＣの測定用電極（図示省略）がセンサ挿入口４に設けられたセンサコネクタ（図示省略）を介して血糖値測定部９に電気的に接続される。血糖値センサチップＳＣに血液が点着されると、血糖値センサチップＳＣからの信号である酸化還元反応により応答電流が生じる。血糖値測定部９は、その応答電流を電圧に変換し、同電圧値を所定のデジタル値にＡ／Ｄ変換後、制御部１１に入力する。この値が血液中の、濃度データ、例えば血糖値を示すグルコース濃度データとして、データ記憶部１４に格納される。
【００５３】
プログラムメモリ１２は、制御部１１により読み出されて装置の機能を実行するための複数の制御プログラムを格納する。
【００５４】
制御プログラム指示部１３は、制御部１１に対し、プログラムメモリ１２からどの制御プログラムを読み出すかを指令する。
【００５５】
データ記憶部１４は、上述したように、制御部１１からの指令に応じて、測定された血糖値（測定データ）等を格納する。
【００５６】
通信部１５は、制御部１１からの指令に応じて、データ記憶部１４に格納された血糖値データ等を装置外の他の通信装置へ送信する。
【００５７】
リーダ／ライタ１６は、ＲＦ−ＩＤ読取アンテナ８で受信される制御情報（所定の情報）を読み取り、制御プログラム指示部１３に送信する。ＲＦ−ＩＤ読取アンテナ８で受信される制御情報とは、ＲＦ−ＩＤタグ７に格納された情報である。
【００５８】
図４に示すように、ＲＦ−ＩＤタグ７は、メモリ７１とメモリ７１に接続されるアンテナ７２とを有する。メモリ７１は、ＲＦ−ＩＤタグ７が固着されたパネル３に対応する制御情報を格納する。ここで、制御情報とは、血糖値測定装置１００により実行される制御プログラムに対応する情報であって、例えば制御プログラムを識別するための情報である。
【００５９】
ＲＦ−ＩＤタグ７と装置本体１のＲＦ−ＩＤ読取アンテナ８とが通信可能な状態（つまり、パネル３が装置本体１に装着された状態）になると、ＲＦ−ＩＤ読取アンテナ８はＲＦ−ＩＤタグ７より制御情報を受信し、装置本体１のリーダ／ライタ１６により読み込まれる。制御プログラム指示部１３は、リーダ／ライタ１６により読み込まれた制御情報に応じて、制御部１１に対し、プログラムメモリ１２内から対応する制御プログラムを実行するように指令する。
【００６０】
なお、図４においては、電池６１を図示していないが、制御部１１側、つまり、装置本体１内に設けられた各部分は、全て、電池６１を電源とする。電池６１から電力供給が行われると、ＲＦ−ＩＤ読取アンテナ８からは、間欠的に電波が発信される。この電波を受けたＲＦ−ＩＤタグ７のアンテナ７２は、この電波を平滑整流することで起電力を得る。これにより、メモリ７１に記録されている制御情報が、アンテナ７２からＲＦ−ＩＤ読取アンテナ８に電波により送られる。
【００６１】
また、制御部１１と制御プログラム指示部１３は、例えば、プロセッサやＣＰＵ等の演算処理ユニットにより構成される。上記実施形態では、二つの機能部として説明しているが、一つの制御部としてもよい。
【００６２】
＜１．３  血糖値測定装置の動作＞
図５は、血糖値測定装置１００の制御ユニット１０の動作を示すフローチャートである。
【００６３】
ステップＳ１０１：ユーザが操作部５を操作すると、電源がＯＮになり、装置の各部が起動する。
【００６４】
ステップＳ１０２：制御ユニット１０の制御部１１は、プログラムメモリ１２より基本プログラムを読み出し、実行する。
【００６５】
ステップＳ１０３：制御部１１は、電源がＯＮになったことを受けて、装置本体１にパネル３が装着されているか否か判定する。このパネル３の装着判定は、ＲＦ−ＩＤ読取アンテナ８によって間欠的に電波が発信され、その電波により起電したパネル３のＲＦ−ＩＤタグ７から制御情報が受信されたかどうかを判定することにより行われる。制御部１１は、上述のように制御プログラム指示部１３からの指令がなければ、パネル３が装着されていないと判定し、ステップＳ１０４に進む。一方、制御部１１は、上述のように制御プログラム指示部１３からの指令があれば、ステップＳ１０５に進む。
【００６６】
ステップＳ１０４：制御部１１は、本体表示部２に対し、パネル３が装置本体１に装着されていない旨を警告する情報を表示させ、ステップＳ１０６に進む。なお、後述するように、ステップＳ１０４で警告表示が行われた場合であっても、血糖値測定部９による血糖値の測定は行うことが可能である。
【００６７】
ステップＳ１０５：一方、制御部１１が、パネル３が装置本体１に装着されていると判定した場合、つまり、ＲＦ−ＩＤ読取アンテナ８によって受信された制御情報が、リーダ／ライタ１６を介して制御プログラム指示部１３に伝えられた場合、制御部１１は、次の処理を行う。制御部１１は、制御プログラム指示部１３からの指令に応じて、プログラムメモリ１２内の複数の制御プログラムの中から、今回ＲＦ−ＩＤタグ７から読み取った制御情報に対応する制御プログラムを読み出し、実行する。
【００６８】
ステップＳ１０６：センサ挿入口４に血糖値センサチップＳＣが挿入された場合、血糖値測定部９によりセンサチップの挿入が検知される。
【００６９】
このステップＳ１０６では、センサチップＳＣが装置本体１に正しく装着されたかもチェックしている。例えば、センサチップＳＣの表裏判定や、センサチップＳＣ自体に機種識別機能がある場合は、その機種を識別して、パネル３のＲＦ−ＩＤタグ７に格納されている制御情報に含まれている機種情報や装置本体１の機種情報に該当するかどうかの判別等を行なっている。
【００７０】
ステップＳ１０７：制御部１１は、血糖値センサチップＳＣが装着されたことを受けて、パネル３が装置本体１に装着されているか否か、及びパネル３が前回のパネル装着判定後に変更されたかどうかの判定を行う。このパネル３の装着判定は、ＲＦ−ＩＤ読取アンテナ８によって間欠的に電波が発信され、その電波により起電したパネル３のＲＦ−ＩＤタグ７から制御情報が受信されたかどうか、またその受信された制御情報が前回のパネル装着判定時と同じかどうかを判定することにより行われる。
【００７１】
なお、装置本体１にパネル３が装着されていない場合、このステップＳ１０７までは基本プログラムが実行され；装置本体１にパネル３が装着されている場合、対応する制御プログラムが実行されている。また、本実施形態では、パネル３を判別するのは、電源投入時と血糖値センサチップＳＣの装着時に限定している。これにより、ＲＦ−ＩＤタグ７とＲＦ−ＩＤ読取アンテナ８とが常時通信することによる電池の消耗を抑制している。
【００７２】
ステップＳ１０８：制御部１１は、パネル３が装置本体１に装着されていない場合は本体表示部２によりパネルが非装着であることの警告表示を行う。また、パネル３が他のパネルに変更された場合には、制御部１１は、パネル３のＲＦ−ＩＤタグ７より受信した制御情報に対応する制御プログラムをプログラムメモリ１２から読み出し、実行するとともに、本体表示部２により実行制御プログラムが変更されたことの警告表示を行う。この制御部１１のプログラムメモリ１２からの制御プログラムの選択的読み取りは、上述のように制御プログラム指示部１３によって行われる。
【００７３】
ステップＳ１０９：血糖値測定部９による血糖値の測定が行われる。なお、装置本体１にパネル３が装着されていない状態で血糖値測定部９に血糖値センサチップＳＣが挿入された場合、血糖値の測定は行われるが、測定された血糖値データはデータ記憶部１４へ格納されないように設定されている。
【００７４】
上記処理においては、装着されるパネル３に応じた処理が行われる。各パネル３に応じた具体的な処理の例については、後述するが、例えば、血糖値データを含む測定データを送信したり、測定結果を本体表示部２に拡大表示したり、測定結果をデータ記憶部１４に格納せず表示するだけ、等の処理が行われる。
【００７５】
なお、上記処理内容は一例であり、その手順は上記に限定されない。例えば、上記処理においては、パネル３を判別するのは、電池の消耗を抑えるために電源投入時と血糖値センサチップＳＣの装着時に限定しているが、パネルの変更や取り外し毎にパネル装着／変更の判定処理を行うようにしてもよい。
【００７６】
更に、例えば、パネル３が装置本体１に装着されることが起動となり、装置本体１の主電源をＯＮさせるようにしでもよい。この場合は、装置本体１としては、通常は省電力の待機モードになっており、パネル３の装着を検知して、上述のステップＳ１０１、Ｓ１０２及びＳ１０５を実行する。このようにすれば、パネル３の未装着時の警告表示は不要となる。
【００７７】
＜１．４  パネル例＞
＜１．４．１  パネル例１＞
図６は、図１のパネル３をパネル３ａに変更した状態を示す。具体的には、このパネル３ａは、装置本体１の所有者が、他者にこの装置本体１を貸し出す場合に使用する。このパネル３ａの表面には、図６に示すように、測定データを図４に示したデータ記憶部１４に格納させないことをユーザに認識させる機能表示部３１ａが設けられている。また、このパネル３ａの裏面に設けたＲＦ−ＩＤタグ（図示せず）には、前記測定データをデータ記憶部１４内に格納させないことを指令する制御プログラムに対応する制御情報が格納されている。
【００７８】
このパネル３ａが装置本体１に装着された場合、図５のステップＳ１０３或いはステップＳ１０７において、パネル３がパネル３ａであることが判定される。そして、上記図５の処理と同様に、このパネル３ａに設けられたＲＦ−ＩＤタグの制御情報をＲＦ−ＩＤ読取アンテナ８により受信し、リーダ／ライタ１６によって制御情報を読み取る。制御部１１は、制御プログラム指示部１３による指令に応じて、プログラムメモリ１２より制御情報に対応する制御プログラムを読み出し、実行する。この結果、血糖値の測定を行う機能のみ実行され、測定データのデータ記憶部１４への格納は禁止される。図６に示すように、本体表示部２には測定データ２１ａ（ここでは、血糖値「９８」）が表示される。なお、測定データ２１ａの下方には、この測定データ２１ａがデータ記憶部１４に格納されていないことを示す注意メッセージ２２ａ（ここでは、“Not Stored Mode"）が表示される。
【００７９】
＜１．４．２  パネル例２＞
図７は、図１のパネル３がパネル３ｂである状態を示す。具体的には、このパネル３ｂは、本体表示部２の表示を拡大表示させるためのものである。このパネル３ｂの表面には、図７に示すように測定データを本体表示部２において拡大表示することをユーザに認識させる機能表示部３１ｂが設けられている。また、このパネル３ｂの裏面に設けたＲＦ−ＩＤタグ（図示せず）には、前記測定データを本体表示部２において拡大表示することを指令する制御プログラムに対応する制御情報が格納されている。
【００８０】
このパネル３ｂが装置本体１に装着された場合、図５のステップＳ１０３或いはステップＳ１０７において、パネル３がパネル３ｂであることが判定される。そして、上記図５の処理と同様に、このパネル３ｂに設けられたＲＦ−ＩＤタグの制御情報をＲＦ−ＩＤ読取アンテナ８により受信し、リーダ／ライタ１６によって制御情報を読み取る。制御部１１は、制御プログラム指示部１３による指令に応じて、プログラムメモリ１２より制御情報に対応する制御プログラムを読み出し、実行する。この結果、図７に示すように、本体表示部２には測定データ２１ｂが拡大表示される。
【００８１】
なお、本体表示部２におけるデータの表示態様を変更する制御プログラムは、拡大表示だけでなく、縮小表示やフォントの変更等ユーザの必要に応じたプログラムを用いることが可能である。
【００８２】
すなわち、このパネル３ｂが装置本体１に装着されることにより、ユーザは操作部５の例えばダイアルを回動させる操作により、拡大／縮小を任意に可変させることもできる。また、本体表示部２において拡大表示又は縮小表示される情報は、測定データに限定されず、装置本体１による測定に関する情報であれば何でもよい。
【００８３】
＜１．４．３  パネル例３＞
図８は、図１のパネル３がパネル３ｃである状態を示す。具体的には、このパネル３ｃは、データ記憶部１４に格納された測定データを通信部１５を介して装置外、つまり他の装置に送信させるものである。このパネル３ｃの表面には、図８に示すように、データ記憶部１４に格納された測定データを他の装置に送信することをユーザに認識させる機能表示部３１ｃが設けられている。また、このパネル３ｃの裏面に設けたＲＦ−ＩＤタグ（図示せず）には、データ記憶部１４に格納された測定データを通信部１５を介して他の装置に送信することを指令する制御プログラムに対応する制御情報が格納されている。
【００８４】
このパネル３ｃが装置本体１に装着された場合、図５のステップＳ１０３或いはステップＳ１０７において、パネル３がパネル３ｃであることが判定される。そして、上記図５の処理と同様に、このパネル３ｃに設けられたＲＦ−ＩＤタグの制御情報をＲＦ−ＩＤ読取アンテナ８により受信し、リーダ／ライタ１６によって制御情報を読み取る。制御部１１は、制御プログラム指示部１３による指令に応じて、プログラムメモリ１２より制御情報に対応する制御プログラムを読み出し、実行する。この結果、本体表示部２には測定データ２１ｃが表示される。また測定データ２１ｃの上方には、通信が確立したことを示す注意メッセージ２１ｃａ（ここでは、"Connect"）が表示され、測定データ２１ｃの下方には、ネットワークモードであることを知らしめる注意メッセージ２１ｃｂ(ここでは、"Network Mode")が表示される。
【００８５】
ここでは、血糖値測定装置１００で測定されたデータ等を、装置本体１内に内蔵する通信部１５（図４参照）を使用して、他の装置に送信することになるが、それ以外の方法として、パネル３ｃ自体に他の機器と通信できる通信部を搭載することも可能である。この場合は、装置本体１に通信部１５を設ける必要はなくなる。
【００８６】
また、通信部としては、携帯電話等の通信、無線ＬＡＮ、またはBluetooth（登録商標）等の無線通信方式を有するものが有効である。この通信機能を活用すると、他の機器に対して、直接的又は間接的に、測定データを送信することができる。例えば、通信部を介して、他の機器、例えば薬剤注入装置等に血糖値データを送信すれば、インスリン等の製剤シリンジの薬剤を簡単に、且つ適切に投与することが可能となる。
【００８７】
また、測定データの管理も効率が良くなり、迅速、且つ、正確に測定データの更新等が可能となる。この結果、慢性の疾病等の臨床においても最新のデータを活用することができ、より適切な治療に寄与できる。
【００８８】
＜１．４．４  パネル例４＞
図９は、図１のパネル３がパネル３ｄである状態を示す。具体的には、このパネル３ｄは、医療従事者が血糖値測定装置１００を使用する際に、活用するものである。医療従事者は、装置本体１から装着されている先のパネル３を取り外し、そこにパネル３ｄを装着する。このパネル３ｄの表面には、図９に示すように、このパネル３ｄが医療従事者用であることをユーザに認識させる機能表示部３１ｄが設けられている。また、このパネル３ｄの裏面に設けたＲＦ−ＩＤタグ（図示せず）には、医療従事者が使用するための処理を指令する制御プログラムに対応する制御情報が格納されている。
【００８９】
図１０は、パネル３としてパネル３ｄが装置本体１に装着される場合の処理を示すフローチャートである。
【００９０】
ステップＳ１１１：図５のステップＳ１０１と同様に、ユーザが操作部５を操作すると、電源がＯＮになり、装置の各部が起動する。
【００９１】
ステップＳ１１２：図５のステップＳ１０２と同様に、制御ユニット１０の制御部１１は、プログラムメモリ１２より基本プログラムを読み出し、実行する。
【００９２】
ステップＳ１１３：図５のステップＳ１０３と同様に、制御部１１は、電源がＯＮになったことを受けて、装置本体１にパネル３が装着されているか否か判定する。このパネルの装着判定は、ＲＦ−ＩＤ読取アンテナ８によって間欠的に電波が発信され、その電波により起電したパネルのＲＦ−ＩＤタグ７から制御情報が受信されたかどうかを判定することにより行われる。制御部１１は、上述のように制御プログラム指示部１３からの指令がなければ、パネルが装着されていないと判定し、ステップＳ１１４に進む。一方、制御部１１は、上述のように制御プログラム指示部１３からの指令があれば、ステップＳ１１５に進む。
【００９３】
ステップＳ１１４：図５のステップＳ１０４と同様に、制御部１１は、本体表示部２に対し、パネル３が装置本体１に装着されていない旨を警告する情報を表示させ、ステップＳ１１８に進む。なお、後述するように、ステップＳ１１４で警告表示が行われた場合であっても、血糖値測定部９による血糖値の測定は行うことが可能である。
【００９４】
ステップＳ１１５：図５のステップＳ１０５と同様に、制御部１１が、パネル３が装置本体１に装着されている（本処理の場合はパネル３ｄとする）と判定した場合、つまり、ＲＦ−ＩＤ読取アンテナ８によって受信された制御情報が、リーダ／ライタ１６を介して制御プログラム指示部１３に伝えられた場合、制御部１１は、次の処理を行う。制御部１１は、制御プログラム指示部１３からの指令に応じて、プログラムメモリ１２内の複数の制御プログラムの中から、今回ＲＦ−ＩＤタグ７から読み取った制御情報に対応する制御プログラムを読み出し、実行する。
【００９５】
ステップＳ１１６：制御部１１は、本体表示部２に対し、医療従事者用の表示（Ｄｒ．モード）であるメニュー３２ｄ（ここでは、1. Measure、2. Data、3. Analysis、4. Upload、5. Setting）を表示させる。
【００９６】
メニュー項目「1. Measure」は、血糖値測定部９に血糖値センサチップＳＣを挿入し、点着された血液中の血糖値を測定する機能を実行するための項目である。測定された血糖値はその後、本体表示部２に表示される。メニュー項目「2. Data」は、データ記憶部１４に格納された測定データを順次この本体表示部２に表示させる機能を実行するための項目である。メニュー項目「3. Analysis」は、データ記憶部１４に格納された測定データを分析し、その後、本体表示部２に表示させる機能を実行するための項目である。メニュー「4. Upload」は、データ記憶部１４に格納された測定データを医療従事者の所有するコンピュータ等にＵＳＢ等のインターフェースを経由して伝送する機能を実行するための項目である。メニュー項目「5. Setting」は、医療従事者として、この装置本体１を所有する機能や設定データ等を変更する機能を実行するための項目である。
【００９７】
ステップＳ１１７：医療従事者は、操作部５を操作することにより、本体表示部２に表示されたメニュー（図９の例では、５種類の）項目からいずれかを選択することで、対話型操作を実行する。この選択に応じて、制御部１１は、選択した項目に対応する機能を実行する。
【００９８】
ステップＳ１１８：図５のステップＳ１０６と同様に、センサ挿入口４に血糖値センサチップＳＣが挿入された場合、血糖値測定部９によりセンサチップの挿入が検知される。
【００９９】
ステップＳ１１９：図５のステップＳ１０７と同様に、制御部１１は、血糖値センサチップＳＣが装着されたされたことを受けて、パネル３が装置本体１に装着されているか否か、及びパネル３が前回のパネル装着判定後に変更されたかどうかの判定を行う。このパネル３の装着判定は、ＲＦ−ＩＤ読取アンテナ８によって間欠的に電波が発信され、その電波により起電したパネル３のＲＦ−ＩＤタグ７から制御情報が受信されたかどうか、またその受信された制御情報が前回のパネル装着判定時と同じかどうかを判定することにより行われる。
【０１００】
ステップＳ１２０：図５のステップＳ１０８と同様に、制御部１１は、パネル３が装置本体１に装着されていない場合は本体表示部２によりパネルが非装着であることの警告表示を行う。また、パネル３が他のパネルに変更された場合には、制御部１１は、パネルのＲＦ−ＩＤタグ７より受信した制御情報に対応する制御プログラムをプログラムメモリ１２から読み出し、実行するとともに、本体表示部２により実行制御プログラムが変更されたことの警告表示を行う。
【０１０１】
ステップＳ１２１：図５のステップＳ１０９と同様に、血糖値測定部９による血糖値の測定が行われる。なお、装置本体１にパネルが装着されていない状態で血糖値測定部９に血糖値センサチップＳＣが挿入された場合、血糖値の測定は行われるが、測定された血糖値データはデータ記憶部１４へ格納はされないように設定されている。
【０１０２】
＜１．５  第１実施形態の特徴＞
以上の説明において理解されるように、本実施形態における血糖値測定装置１００は、ＲＦ−ＩＤタグ７を備えたパネル３を装置本体１に装着し、ＲＦ−ＩＤタグ７のメモリ７１に格納された制御情報をアンテナ７２を介して装置本体１に設けたＲＦ−ＩＤ読取アンテナ８に電波によって送る。そして、ＲＦ−ＩＤ読取アンテナ８によって受信されたＲＦ−ＩＤタグ７の制御情報に応じて、制御プログラム指示部１３が制御部１１に指令し、制御部１１は、プログラムメモリ１２内に格納された複数の制御プログラムの中から、前記制御情報に対応する制御プログラムを読み出し、実行する。これにより、ユーザは、煩雑な操作を行うことなく、パネル３を交換することだけで所望の機能を血糖値測定装置１００に実行させることができる。
【０１０３】
更に、本実施形態においては、装置本体１に装着するパネル３ａ〜３ｄの表面に機能表示部３１ａ〜３１ｄを設けており、このパネル３ａ〜３ｄには、ＲＦ−ＩＤタグ７が設けられている。このため、ユーザはパネルの機能表示部３１ａ〜３１ｄの内容を確認することで、どのように機能が実行されているのか簡単に判別することができる。
【０１０４】
また、装置本体１に設けられたＲＦ−ＩＤ読み取りアンテナ８が、パネル３のＲＦ−ＩＤタグ７の内容を読み取ることで、制御プログラムの変更を確実に行うことができ、パネル３ａ〜３ｄに設けられた機能表示部３１ａ〜３１ｄの内容に対応した機能変更が行えるため、ユーザが容易且つ確実に血糖値測定装置１００の操作を行うことができる。
【０１０５】
＜１．６  第１実施形態の変形例＞
図１１は、第１実施形態に係る血糖値測定装置１００において、スリープモードが設定されている場合の処理を示すフローチャートである。血糖値測定装置１００は、所定時間ユーザによる操作がない場合、自動的に或いは手動で、スリープモード、つまり待機状態（省エネモード）になる。
【０１０６】
図５及び図１０の処理では、操作部５が操作されると血糖値測定装置１００の起動が行われる例を説明したが、本変形例においては、スリープ動作後の再起動（スリープの解除）後の動作を説明する。具体的には、以下の通りである。
【０１０７】
ステップＳ１３１：ユーザが操作部５を操作すると、血糖値測定装置１００のスリープモードが解除される。
【０１０８】
ステップＳ１３２：制御部１１は、スリープモードが解除になったことを受けて、パネル３が装置本体１に装着されているか否か、及びパネル３が前回のパネル装着判定後に変更されたかどうかの判定を行う。このパネル３の装着判定は、ＲＦ−ＩＤ読取アンテナ８によって間欠的に電波が発信され、その電波により起電したパネル３のＲＦ−ＩＤタグ７から制御情報が受信されたかどうかを判定することにより行われる。
【０１０９】
ステップＳ１３３：制御部１１は、パネル３が装置本体１に装着されていない場合は本体表示部２によりパネル３が非装着であることの警告表示を行う。また、パネル３が他のパネルに変更された場合には、制御部１１は、パネル３のＲＦ−ＩＤタグ７より受信した制御情報に対応する制御プログラムをプログラムメモリ１２から読み出し、実行するとともに、本体表示部２により実行制御プログラムが変更されたことの警告表示を行う。この制御部１１のプログラムメモリ１２からの制御プログラムの選択的読み取りは、上述のように制御プログラム指示部１３によって行われる。
【０１１０】
ステップＳ１３４：一方、制御部１１が、パネル３が変更されていないと判定した場合、つまり、ＲＦ−ＩＤ読取アンテナ８によって受信された制御情報が、前回のパネル装着判定後に受信した制御情報と同じであった場合、制御部１１は、制御プログラム指示部１３からの指令に応じて、プログラムメモリ１２内の複数の制御プログラムの中から、今回ＲＦ−ＩＤタグ７から読み取った制御情報に対応する制御プログラム（前回と同じ）を読み出し、実行する。
【０１１１】
ステップＳ１３５：図５のステップＳ１０６と同様に、センサ挿入口４に血糖値センサチップＳＣが挿入された場合、血糖値測定部９によりセンサチップの挿入が検知される。
【０１１２】
ステップＳ１３６：図５のステップＳ１０７と同様に、制御部１１は、血糖値センサチップＳＣが装着されたされたことを受けて、パネル３が装置本体１に装着されているか否か、及びパネル３が前回のパネル装着判定後に変更されたかどうかの判定を行う。このパネル３の装着判定は、ＲＦ−ＩＤ読取アンテナ８によって間欠的に電波が発信され、その電波により起電したパネル３のＲＦ−ＩＤタグ７から制御情報が受信されたかどうか、また受信された制御情報が、装置が前回のパネル装着判定時と同じかどうかを判定することにより行われる。
【０１１３】
ステップＳ１３７：図５のステップＳ１０８と同様に、制御部１１は、パネル３が装置本体１に装着されていない場合は本体表示部２によりパネルが非装着であることの警告表示を行う。また、パネル３が他のパネルに変更された場合には、制御部１１は、パネル３のＲＦ−ＩＤタグ７より受信した制御情報に対応する制御プログラムをプログラムメモリ１２から読み出し、実行するとともに、本体表示部２により実行制御プログラムが変更されたことの警告表示を行う。
【０１１４】
ステップＳ１３８：図５のステップＳ１０９と同様に、血糖値測定部９による血糖値の測定が行われる。なお、装置本体１にパネル３が装着されていない状態で血糖値測定部９に血糖値センサチップＳＣが挿入された場合、血糖値の測定は行われるが、測定された血糖値データはデータ記憶部１４へ格納されないように設定されている。
【０１１５】
なお、上記処理内容は一例であり、その手順は上記に限定されない。例えば、上記処理においては、パネル３を判別するのは、電池の消耗を抑えるために電源投入時と血糖値センサチップＳＣの装着時に限定しているが、パネルの変更や取り外し毎にパネル装着／変更の判定処理を行うようにしてもよい。そのようにしても、本変形例においては、血糖値測定装置１００はスリープモードが設定され、スリープモード時にはＲＦ−ＩＤタグ７とＲＦ−ＩＤ読取アンテナ８との通信は行われないため、電池消耗を抑制することが可能である。
【０１１６】
更に、例えば、パネル３の装着による起動方法を採用しても良い。具体的には、パネル３が装置本体１に装着されたことを検知すると、装置本体１のスリープモードを解除し、主電源をＯＮさせることになる。この場合は、装置本体１としては、パネル３の装着を検知して、上述のステップＳ１３１〜Ｓ１３５を実行する。このようにすれば、パネル３の未装着時の警告表示は不要となる。
【０１１７】
＜２．第２実施形態＞
第２実施形態の血糖値測定装置（生体情報測定装置）２００は、第１実施形態と同様に、ＲＦ−ＩＤタグを有するパネルと、パネルが装置本体に装着された場合にＲＦ−ＩＤタグより制御情報を受信可能なＲＦ−ＩＤ読取アンテナを有する装置本体を備え、緊急対応時の動作を行う。本実施形態によれば、ユーザは、パネルを装置本体から外すことにより、緊急対応の信号を発信することができる。
【０１１８】
＜２．１  血糖値測定装置の構成＞
第２実施形態に係る血糖値測定装置２００における装置本体及びパネルの構成は、図１〜３に示すものと同様である。従って、以下の説明においては、同じ構成及び機能を有する部分については、同じ符号を参照して説明する。
【０１１９】
＜２．２  制御ユニット＞
図１２は、血糖値測定装置２００の装置本体１の内部に設けられた制御ユニット２１０を示す。図１２に示すように、制御ユニット２１０は、制御部２１１と、プログラムメモリ２１２と、データ記憶部２１４と、リーダ／ライタ２１６と、警報部２１７とを有する。
【０１２０】
制御部２１１は、装置本体１の本体表示部２、操作部５、及び血糖値測定部９に接続されている。制御部２１１は、本体表示部２に情報の表示を指令する。制御部２１１はまた、ユーザにより操作された操作部５からの信号に応じて、対応する制御指令を生成し、各部に送信する。
【０１２１】
制御部２１１に接続される血糖値測定部９は、第１実施形態と同様に、センサ挿入口４経由で、挿入された血糖値センサチップＳＣに点着された血液の血糖値を測定する。
【０１２２】
プログラムメモリ２１２は、第１実施形態と同様に、制御部２１１により読み出されて装置の機能を実行するための複数の制御プログラムを格納する。
【０１２３】
データ記憶部２１４は、第１実施形態と同様に、制御部２１１からの指令に応じて、測定された血糖値データ等を格納する。
【０１２４】
リーダ／ライタ２１６は、ＲＦ−ＩＤ読取アンテナ８により受信された制御情報を読み取る。警報部２１７は、制御部２１１の指令に応じて、ブザー音等の警報を発する。
【０１２５】
図１２に示すように、第１実施形態と同様に、パネル３に搭載されたＲＦ−ＩＤタグ７は、メモリ７１とメモリ７１に接続されるアンテナ７２とを有する。メモリ７１は、ＲＦ−ＩＤタグ７が固着されたパネル３に対応する制御情報を格納する。ＲＦ−ＩＤタグ７と装置本体１のＲＦ−ＩＤ読取アンテナ８と通信可能な状態（つまり、パネル３が装置本体１に装着された状態）になると、ＲＦ−ＩＤ読取アンテナ８はＲＦ−ＩＤタグ７より制御情報を受信し、装置本体１のリーダ／ライタ２１６により読み込まれる。制御部２１１は、リーダ／ライタ２１６により読み込まれた制御情報に応じて、プログラムメモリ２１２内から対応する制御プログラムを読み取るように指令する。
【０１２６】
なお、図１２においては、電池６１を図示していないが、制御部２１１側、つまり、装置本体１内に設けられた各部分は、全て、電池６１を電源とする。電池６１から電力供給が行われると、ＲＦ−ＩＤ読取アンテナ８からは、間欠的に電波が発信される。この電波を受けたＲＦ−ＩＤタグ７のアンテナ７２は、この電波を平滑整流することで起電力を得る。これにより、メモリ７１に記録されている制御情報が、アンテナ７２からＲＦ−ＩＤ読取アンテナ８に電波により送られる。なお、電池６１は、ここでは使い捨てのボタン電池（図２参照）を使用しているが、これに限定されるものではなく、アルカリ乾電池、又は、リチウムイオン等の充電可能な電池でもよい。
【０１２７】
＜２．３  血糖値測定装置の動作＞
図１３は、本実施形態に係る血糖値測定装置２００の制御ユニット２１０の処理を示すフローチャートである。本実施形態でも、上述の第１実施形態と同様、図１に示すように、パネル３に設けたＲＦ−ＩＤタグ７のアンテナ７２と、装置本体１のＲＦ−ＩＤ読取アンテナ８とが対向状態になる（つまり正常状態の使用が開始された）と、制御部２１１は、ＲＦ−ＩＤタグ７のアンテナ７２と装置本体１のＲＦ−ＩＤ読取アンテナ８間の通信を検出する。一方、図２に示すように、パネル３が装置本体１から外されると、ＲＦ−ＩＤタグ７のアンテナ７２は、装置本体１のＲＦ−ＩＤ読取アンテナ８とは非対向状態となる。よって、制御部２１１は、ＲＦ−ＩＤタグ７のアンテナ７２と装置本体１のＲＦ−ＩＤ読取アンテナ８間の通信がないことを検出する。具体的には、以下の通りである。
【０１２８】
ステップＳ２０１：制御部２１１は、パネル３が装置本体１に装着されているかどうかを判定する。このパネル３の装着判定は、第１実施形態と同様に、ＲＦ−ＩＤ読取アンテナ８によって間欠的に電波が発信され、その電波により起電したパネル３のＲＦ−ＩＤタグ７から制御情報が受信されたかどうかを判定することにより行われる。
【０１２９】
ステップＳ２０２：パネル３が未装着である場合、制御部２１１は、ステップＳ２０１の判定時から所定時間経過したかどうかを判定する。所定時間経過していない場合は、ステップ２０１へ戻り、再度、パネル３の装着の有無を確認する。一方、所定時間が経過している場合は、次のステップ２０３へ進む。
【０１３０】
ここで、所定時間の経過を判定する理由は、次の通りである。パネル３が図２のように装置本体１より外される状況としては、ユーザが緊急対応のため外すことの他に、単なるパネルの交換や電池６１の交換もある。よって、このような通常のパネルの取り外しと、緊急対応のためのパネルの取り外しとを判別する必要がある。このため、制御部２１１は、ステップＳ２０１の判定時から時間をカウントし、所定時間（例えば３分。ただし、これは任意に設定可能である）以上経過したかどうかを判定することにより、パネル３が継続的に外されているかどうかを判定する。所定時間（例えば、３分）以上経過している場合は、ステップＳ２０３に進む。
【０１３１】
ステップＳ２０３：制御部２１１は、警報部２１７により警報を発する。なお、このとき、本体表示部２は、制御部２１１の指令に応じて、警告表示を行ってもよい。
【０１３２】
なお、上記処理は、上記第１実施形態の処理と並行して行うことも可能である。また、ステップＳ２０１の判定処理は所定時間間隔で行ってもよいし、第１実施形態の図５、図１０及び図１１に示すパネル装着判定に合わせて行うようにしてもよい。
【０１３３】
また、電池６１の取り外し時間が長い場合でも、誤って第２実施形態に係る血糖値測定装置２００による上記緊急対応動作は行われない。具体的には、パネル３を外してアンテナ７２とＲＦ−ＩＤ読取アンテナ８とが非対向状態になった後、上記の所定時間内に電池６１を取り外すと、非通電状態となる。すると、制御部２１１をはじめとする各機能ブロックには電源が供給されず、動作を停止する。このため、上記の所定時間を経過したとしても緊急対応の報知は行われない。この後、再び電池収納部６に電池６１を収納して通電状態とすると、最初の正常状態の使用が開始されたことになり、制御部２１１は通常の処理を行う。つまり、電池６１を外した状態が長くとも、緊急対応の報知は行われず、電池６１の交換を行うことができる。
【０１３４】
なお、装置の通常の出荷時には、電池６１は、電池収納部６に収納せずに別体として梱包するか、別売りとする。或いは、電池収納部６に電池６１を収納した状態で出荷するとしても電池収納部６と電池６１との接点にフィルム等を挟んで電池６１が消耗しないようにしている。すなわち、出荷時には、制御部２１１をはじめとする各機能ブロックには電源が供給されていない。よって、上述のように、アンテナ７２とＲＦ−ＩＤ読取アンテナ８とが対向状態か非対向状態かを判別することは行われず、装置は未使用状態にある。その後、電池収納部６に電池６１を収納して装置を通電状態とし、パネル３を初めて装置本体１に装着した時にアンテナ７２とＲＦ−ＩＤ読取アンテナ８とが対向状態か非対向状態かを判別され（装置起動）、対向状態であれば、図５、１０及び１１に示すように装置の使用が開始される。
【０１３５】
＜２．４  第２実施形態の特徴＞
本実施形態に係る血糖値測定装置２００によれば、従来のような操作ボタンによる操作とは異なり、ユーザは、パネル３を外すという簡単且つ操作しやすい動作により、緊急対応の信号を発信することができる。これにより、ユーザの操作に間違いが起こりにくく、適切な且つ確実な緊急対応が可能となる。
【０１３６】
＜２．５  第２実施形態の変形例＞
＜２．５．１  変形例１＞
図１４は、本発明の第２実施形態の変形例１に係る血糖値測定装置２００ａの制御ブロック図を示す。図１４に示すように、本変形例１に係る血糖値測定装置２００ａは、上述した第２実施形態の血糖値測定装置２００の制御ユニット２１０に加え、現在位置取得部２１８と無線通信部２１９とを更に備える。なお、上記第２実施形態と同じ構成及び機能については、同じ符号を付して説明を省略する。
【０１３７】
現在位置取得部２１８は、制御部２１１ａからの指令に応じて、血糖値測定装置２００ａ本体の現在位置を取得する、例えば、既知のＧＰＳ（Ｇｌｏｂａｌ  Ｐｏｓｉｔｉｏｎｉｎｇ  Ｓｙｓｔｅｍ）ユニットである。この現在位置取得部２１８により、人工衛星から発射される電波を受信して血糖値測定装置２００ａの現在位置を特定する。そして、特定した現在位置情報を制御部２１１ａへと送出する。
【０１３８】
無線通信部２１９は、無線を用いて外部の通信網と通信を行い、通信用のアンテナも含む。無線通信部２１９は、例えば、携帯電話のように電話通信網の基地局と接続したり、或いはインターネット上の無線ＬＡＮのアクセスポイントと接続したりする。また、電話通信網又はインターネットには、この血糖値測定装置２００ａと通信を行うサーバーが配置されており、血糖値測定装置２００ａから送られてくる情報に対し処理を行う。このサーバーの処理は、プログラムにより自動的に動作するように設定されていたり、医療従事者等のオペレータの操作により行われたりする。
【０１３９】
このように構成された血糖値測定装置２００ａの動作について説明する。上述した第２実施形態に係る血糖値測定装置２００と同様に、パネル３を装置本体１から外して、ＲＦ−ＩＤタグ７のアンテナ７２と、ＲＦ−ＩＤ読取アンテナ８とが非対向状態となってから所定時間以上経過すると（図１３のステップＳ２０２後）、制御部２１１ａは、現在位置取得部２１８に現在位置を取得するように指令するとともに、無線通信部２１９に外部のサーバーとの接続を指令する。
【０１４０】
制御部２１１ａは、現在位置取得部２１８における現在位置情報の取得と無線通信部２１９における外部のサーバーとの接続とが完了すると、無線通信部２１９を介して現在位置情報を外部のサーバーへと送信する。
【０１４１】
このようにすれば、ユーザが体調不良を引き起こした場合に、ユーザの現在位置情報を外部のサーバーに伝えることが出来る。外部のサーバーが、伝えられたユーザの現在位置情報に基づいて起動させる自動プログラムやオペレータの操作により、緊急車両等を手配すれば、確実にユーザの場所へと緊急車両等を到達させることが可能となる。
【０１４２】
なおこの時、現在位置取得部２１８と無線通信部２１９以外の各機能ブロックは上記第２実施形態の制御ユニット２１０と同じく警報を発して、緊急車両等が到着するまでの間に、近傍の人に適切な緊急対応を要請することもできる。
【０１４３】
つまり、上述した構成によれば、ユーザが体調不良を引き起こした場合には、ユーザの近傍の人によって適切な対応を受けることと、速やかに医療機関等への搬送を受けることが期待できる。
【０１４４】
＜２．５．２  変形例２＞
上記変形例１においては、現在位置取得部２１８が取得したユーザの現在位置を無線通信部２１９が外部のサーバーへ送るように構成したが、現在位置取得部２１８を設けない構成としてもよい。
【０１４５】
この場合、無線通信部２１９は、ユーザが操作部５の操作により体調不良を引き起こしたことを示す情報と直近に測定した血糖値とを外部のサーバーへ伝える。外部のサーバーは、血糖値測定装置２００ａの無線通信部２１９からの情報を受けて、対応する指示情報を生成し、無線通信部２１９に送信する。無線通信部２１９により指示情報が受信されると、制御部２１１ａは、同指示情報に基づいて、本体表示部２や警報部２１７に表示や報知を行わせる。この時、外部のサーバーは、自動プログラム又はオペレータが血糖値測定装置２００ａから送信されてきた測定データから手当て内容を決定して、指示情報を生成する。このようにすれば、ユーザの状態に応じた適切な緊急対応を迅速に行うことが可能となる。
【０１４６】
＜２．５．３  変形例３＞
上記血糖値測定装置２００においては、制御部２１１は、パネル３の非装着判定後、所定時間の経過という条件を満たせば、警報を発したり、警告情報を本体表示部に表示させたり、外部のサーバーに装置の現在位置を送信したり、外部のサーバーより指示情報を受信したりしているが、本実施形態はこれに限定されない。例えば、パネル３の非装着判定と測定データの異常値（例えば、低血糖を示す値）との双方が判定されれば、上記動作を行ってもよい。或いは、これに加えて、所定時間の経過の判定を更に行ってもよい。
【０１４７】
＜３．第３実施形態＞
第３実施形態の血糖値測定装置（生体情報測定装置）３００は、パネル３を交換することにより、装置の利便性を高めている。
【０１４８】
＜３．１  血糖値測定装置の構成＞
第３実施形態に係る血糖値測定装置３００の構成は、パネル３が電池カバーを兼用しておらず、装置本体１には別途電池カバー３６２が装着されていることを除いては、図１〜３に示す第１実施形態と同様である。
【０１４９】
＜３．１．１  装置本体の構成＞
図１５に示すように、装置本体３０１は、ほぼ長方形状を有する。装置本体３０１は、表面に設けられた本体表示部３０２と、上方端部に設けられたセンサ挿入口３０４と、片方側部に操作部３０５と、電池収納部３０６と、電池カバー３６２と、パネル３０３を装置本体３０１に固定する係合部３５１，３５２とを備える。
【０１５０】
本体表示部３０２は、液晶や有機ＥＬ等のディスプレイであり、測定された血糖値や機能メニュー等の情報をユーザに対し表示する。
【０１５１】
センサ挿入口３０４は、血糖値センサチップを装置本体３０１に装着するためのセンサチップの挿入口である。
【０１５２】
操作部３０５は、ユーザが指で触れて装置の操作を行うボタン、スイッチ、スライド、レバー、ダイアル等である。
【０１５３】
電池収納部３０６は、血糖値測定装置３００の電源である電池３６１を収納し、装着させる。電池カバー３６２は、装置本体３０１のパネル３０３により被覆される部分に設けられ、電池収納部３０６に収納された電池３６１を被覆する。
【０１５４】
係合部３５１，３５２は、パネル３０３を装置本体３０１に装着するときパネル３０３の対応する部分と係合して、パネル３０３を装置本体３０１に固定させる機構を備える。
【０１５５】
なお、図１５では、電池カバー３６２を装置本体３０１の表側（本体表示部３０２が配置されている側）に装着するように示されているが、これには限られない。例えば、装置本体３０１の裏面側（表示部３０２とは反対側）に電池カバー３６２を設けてもよい。この場合は、電池収納部３０６及び電池３６１も、裏面側（表示部３０２とは反対側）に設けられることになる。
【０１５６】
＜３．１．２  パネルの構成＞
パネル３０３は、第１実施形態と同様に、装置本体３０１に対し脱着可能に装着される。また、パネル３０３は、表面（本体表示部３０２と同じ側）に機能表示部３３１を有する。
【０１５７】
＜３．２  実施例＞
＜３．２．１  実施例１＞
図１５及び１６に示す血糖値測定装置３００では、パネル３０３の機能表示部３３１には、血糖値測定装置３００の操作マニュアルやクイックガイド等が印刷されている。
【０１５８】
このように、パネル３０３に、血糖値測定装置３００の操作マニュアルやクイックガイド等を表示することにより、ユーザは操作マニュアル等を携帯する必要がない。また、初心者のユーザは、操作しながら操作マニュアルやクイックガイド等を見ることができる。更に、パネル３０３は脱着可能であるため、ユーザが操作に慣れ、操作マニュアル等を見る必要がなくなった場合、多種のパネル（例えば、カラフルなファッション性のあるパネルに）交換することができる。
【０１５９】
なお、機能表示部３３１は、上記のような印刷ではなく、電子ペーパーによる表示でもよい。機能表示部３３１に電子ペーパーを使用する場合は、上記の装置本体３０１の係合部３５１，３５２にコネクタ（図示省略）が設けられており、このコネクタを経由して装置本体３０１より、パネル３０３の機能表示部３３１である電子ペーパーに電源を供給する。またこの場合、操作部３０５（図１５では回動式ダイアルを図示）を操作し、電子ペーパー（機能表示部３３１）の内容を切替表示することができる。このように、機能表示部３３１に電子ペーパーを使用した場合は、パネル３０３を交換する必要がなく、多くの表示を行なうことができ、利便性も向上する。
【０１６０】
＜３．２．２  実施例２＞
図１７〜図１９に示す血糖値測定装置３００ａでは、パネル３０３ａを装置本体３０１に装着することにより、操作マニュアルの内容を本体表示部３０２に表示させる。
【０１６１】
血糖値測定装置３００ａは、実施例１で上述した血糖値測定装置３００と略同様の構成である。血糖値測定装置３００ａは、次のように動作する。第１実施形態と同様に、装置本体３０１の内部に設けられた制御ユニット（図示省略。図４における制御部１１に相当）は、パネル３０３ａが装置本体３０１に装着されたことを検出し、パネル３０３ａに対応する制御プログラムを起動させて、本体表示部３０２に操作マニュアルの内容を表示させる。また、パネル３０３ａの機能表示部３３１ａには、操作マニュアルを認識できる情報が表示されている。
【０１６２】
より具体的には、パネル３０３ａが装置本体３０１に装着されると、パネル３０３ａに装着されているＲＦ−ＩＤタグ（図４等におけるＲＦ−ＩＤタグ７に相当）のメモリ（図４などにおけるメモリ７１に相当）に格納された制御情報を装置本体３０１のＲＦ−ＩＤ読取アンテナ（図４等におけるＲＦ−ＩＤ読取アンテナ８に相当）が受信する。そして、制御ユニットにより受信された制御情報に対応する制御プログラムが読み出され、同制御プログラムにより予めメモリに格納された操作マニュアル表示データ(文字、図形、写真等）を本体表示部２に表示させる。
【０１６３】
なお、これに代えて、パネル３０３ａに取り付けたメモリ（例えば、ＳＤメモリ）に、操作マニュアル表示データ（所定の情報）を格納しておいてもよい。この場合、パネル３０３ａの装着時に、パネル３０３ａのメモリと装置本体３０１とが、コネクタ（第１及び第２の通信ユニット）経由で電気的に接続され（図示省略）、その接続と同時に装置本体３０１の制御ユニット（図４における制御ユニット１０に相当）が操作マニュアル表示データ（所定の情報）を読み出し、本体表示部３０２に表示するようにしてもよい。なお、コネクタは、例えば、装置本体３０１に設けられた係合部３５２とパネル３０３の対応する部分にそれぞれ設け、パネル３０３ａに取り付けたＳＤメモリ内の制御情報、または、操作マニュアル表示データを、直接、装置本体３０１側に読み出し、該当する表示を本体表示部３０２に表示するようにしてもよい。
【０１６４】
本体表示部３０２の表示方法は、例えば、図１８に示すように使用方法の全体の流れを表示（表示例３２１ａ）していてもよいし、装置本体３０１による実際の測定の進捗状況に応じて、図１９に示すように操作ステップ毎に表示してもよい。この場合、実際の測定の一工程であるＳｔｅｐ２が完了したタイミングで、Ｓｔｅｐ３を表示し、次の工程の操作を促すようにする。図１９の表示例３２１ｂでは、Ｓｔｅｐ２の「血液をセンサチップに点着する」操作を促す表示を示している。
【０１６５】
また、ユーザが操作部３０５を操作する、例えばＪＯＧダイアル／シャトルダイアル等を指で回すことにより、拡大表示や縮小表示をできるようにしてもよい。
【０１６６】
以上のように、本実施例によれば、ユーザは表示された操作マニュアルを見ながら操作できるため、操作マニュアル等を携帯する必要はなく、初心者でも間違いなく確実に操作することができる。また、本体表示部３０２の文字や図形のサイズの可変機能も有しているため、老眼の人にも使いやすいものとなる。
【０１６７】
＜３．２．３  実施例３＞
図２０及び図２１に示す血糖値測定装置３００ｂでは、パネル３０３ｂの機能表示部３３１ｂに、ユーザが自由に書き込んだり、写真やイラストを添付したりする面（素材は紙、樹脂、スチール等）を設けている。この面にユーザの名前、住所、緊急連絡先、医療機器の測定値の目安、医師のアドバイス等を記入することで、ユーザ自身の記憶補助、或いは装置の紛失時や緊急時にユーザの情報を第３者へ知らせることができる。
【０１６８】
＜３．２．４  実施例４＞
図２２及び図２３に示す血糖値測定装置３００ｃでは、パネル３０３ｃの機能表示部３３１ｃに、操作マニュアルやクイックガイド等の情報を点字で表示している。この点字表示は、パネル３０３ｃの表面を樹脂成形、板金プレス等で加工することにより実現できる。パネル３０３ｃは、また、図２３に示すように音出力部としてスピーカ３３２を有してもよい。この場合、スピーカ３３２は、薄型のコンデンサ・スピーカなどが使用される。
【０１６９】
また、装置本体３０１側に、サウンダ等の音出力部（音声出力部）を内蔵してもよいし、パネル３０３ｃが音声合成等の音出力回路（音声出力部）を内蔵してもよい。
【０１７０】
パネル３０３ｃが装置本体３０１に装着されると、パネル３０３ｃのスピーカ３３２はコネクタ（図示省略）を経由して装置本体１と電気的に接続される。その接続に応じて、装置本体３０１の内部に設けられた制御ユニット（図示省略）は、パネル３０３ｃの識別情報を取得してパネル３０３ｃが装置本体３０１に装着されたことを判定し、パネル３０３ｃの音出力回路を作動させて、装置本体３０１の音出力部又はパネル３０３ｃのスピーカ３３２より操作方法又は測定結果等の音声を発する。
【０１７１】
このようなパネル３０３ｃを設けることで、ユーザは操作マニュアル等を携帯する必要がないだけでなく、目の不自由なユーザは、点字に触れながら操作方法を参照することができ、更に音声によっても操作方法を聞くことができる。操作に慣れ、操作マニュアルを使用する必要がない場合、他種にパネルに交換することができる。
【０１７２】
＜３．３  第３実施形態の特徴＞
以上のように、本実施形態に係る血糖値測定装置３００によれば、パネル３０３の機能表示部（図１５の３３１他）、又はパネル３０３に相関させた本体表示部３０２に、ユーザが必要な情報を表示させることができ、またユーザがその情報を利用しやすいにように構成されている。
【０１７３】
＜４  第４実施形態＞
以下、本発明の第４実施形態について、添付図面を用いて説明する。本実施形態に係る血糖値測定装置は、主に、次の課題を解決するものである。従来は、血液中のグルコースの濃度を測定する一般的な方法としては、酸化還元酵素を触媒とする酸化還元反応を利用したものがあり、使い捨てとして構成された血糖値センサチップを装着した上で、この血糖値センサチップに血液を点着することにより血糖値の測定が行われていた。血糖値センサチップでは、酵素反応場において血液中のグルコース濃度に応じた量の還元体（或いは酸化体）が生成される。このとき、酵素反応場に対して電極を介して電圧を印加すれば、還元体（或いは酸化体）と電極との間で電子授受が行われる。その電子授受量は、酸化電流（或いは還元電流）として血液検査装置において測定され、そのときの電流値に基づいて血糖値が求められる。
【０１７４】
この酵素反応における反応速度は、温度依存性が比較的大きいため、還元体（酸化体）の生成量は、血液中のグルコース濃度のみならず、反応温度による影響を受け易い。そのため、従来の血糖値測定装置としては、温度に対する補正を行った上で、最終的な測定結果を算出するように構成されているものが多い。この場合の温度測定は、例えば血液検査装置内に組み込んだ温度センサにおいて、温度を測定することにより行われる。温度による血糖値の補正を行う理由は、季節によって、つまり外気温度によって検出される血糖値の値がばらついてしまうからである。
【０１７５】
しかし、従来例においては、血糖値測定装置に設けられた温度検出手段は、装置本体の回路基板上に実装されており、回路基板上に実装される各種電子部品の発熱による影響を受け、その結果として装置外の外気温度を適切に検出することが難しかった。
【０１７６】
また、温度検出手段を血糖値センサチップの直下に配置して血糖値センサチップの温度を測る方法も提案されているが（例えば、国際公開第２００３／０６２８１２号）、血糖値センサチップは通常直接手により挿入されるため、手の体温の影響もあり、外気温度を適切に検出する阻害要因が増え、問題があった。このような温度検出手段が検出した温度によって補正した血糖値は必ずしも適切なものとはならず、これにより血糖値の測定精度が低くなっていた。
【０１７７】
上記課題に鑑み、本実施形態に係る血糖値測定装置は、次のような構成を備える。
【０１７８】
＜４．１  血糖値測定装置の構成＞
図２４は、血糖値測定装置４００の全体を示す。血糖値測定装置４００は、装置本体４０１と、パネル４０３とから構成される。ユーザは、センサ挿入口４０４より使い捨ての血糖値センサチップＳＣを挿入し装置本体４０１に装着して、その血糖値センサチップＳＣに少量の血液を点着することにより、その血液の血糖値を測定する。また、ユーザは、図２４に示すように、パネル４０３を装置本体４０１から外して、電池４６１の交換を行うことができる。
【０１７９】
装置本体４０１は、縦長の筐体であり、その上方側面には、血液成分の測定時に血糖値センサチップＳＣを挿入するセンサ挿入口４０４が設けられている。装置本体４０１の別の側面には、血糖値測定装置４００の操作を行う操作部４０５が設けられている。
【０１８０】
装置本体４０１の上方表面には、血糖値等の血液成分の測定値及びその他のメッセージを表示する本体表示部４０２が設けられ、その下方の表面はパネル４０３により着脱自在に覆われる。
【０１８１】
パネル４０３で覆われた装置本体１の部分には電池収納部４０６が設けられ、この電池収納部４０６には上記の電池４６１が収納される。
【０１８２】
図２５は、図２４の血糖値測定装置４００の部分拡大図であり、装置本体４０１の表面において、電池収納部４０６よりは本体表示部４０２側に、開口部４９０が設けられ、この開口部４９０内には温度検出手段を構成する２つの温度検出素子４９１が配置されている。
【０１８３】
すなわち、これらの電池４６１及び温度検出素子４９１は、通常パネル４０３により覆われており、図２４からも理解されるように、パネル４０３は装置本体４０１の下方側にスライドさせることでこれらの温度検出素子４９１及び電池４６１が装置本体４０１外に表出されるようになっている。
【０１８４】
装置本体４０１上の温度検出素子４９１及び電池４６１の位置は、パネル４０３をスライド移動させると、まず温度検出素子４９１が外に表出し、電池４６１が次に表出するように配されている。
【０１８５】
本実施形態では、パネル４０３は電池４６１を収納する電池収納部４０６のカバーも兼用している例を示しているが、これに限定されない。電池収納部４０６は、本体表示部４０２と同一面でない装置本体１の裏側に設けられていてもよい。その場合は、電池収納部４０６を覆う電池カバーはパネル３とは別に設けられる（後述）。
【０１８６】
＜４．２  温度検出素子＞
図２６及び図２７は、温度検出素子４９１の配置構成を示す。図２７に示すように、装置本体４０１内には回路基板４９５が内蔵されており、この回路基板４９５上には、各種の電子部品（図示せず）が実装されている。
【０１８７】
そして、この回路基板４９５の上方には、断熱性を有する設置台４９２を設け、この設置台４９２上に温度検出素子４９１を設けたサブ基板４９３を配置する。このサブ基板４９３と回路基板４９５とはフレキシブル配線４９６により電気的に接続されている。
【０１８８】
図２７からも明らかなように、温度検出素子４９１はパネル４０３で覆われているが、他の電子部品とは設置台４９２で分離され、しかもパネル４０３の近傍に配置されている。従って、温度検出素子４９１は、パネル４０３外の外気温度をより適切に検出することが可能なように配置されている。
【０１８９】
また、設置台４９２は、ゴムのように弾性変形する部材で構成されていてもよい。その場合は、設置台４９２は高さ方向（図２７において上下方向）に変形し、パネル４０３を装置本体４０１装着したときに設置台４９２の上方に設けられている温度検出素子４９１とパネル３とが接触する。このような構成により、温度検出素子４９１は、外気と接するパネル４０３から直接温度が伝わるため、外気温度をより適切に検出することができる。
【０１９０】
＜４．３  制御ユニット＞
図２８は、血糖値測定装置４００の制御ユニット４１０の構成を示す。制御ユニット４１０により、血糖値センサチップＳＣを使用して血液の成分を測定する方法について、簡単に説明する。
【０１９１】
まず、制御部４１１の指令により、血糖値センサチップＳＣの測定用電極（図示せず）がセンサコネクタ４１４を介して測定部４１３に接続される。
【０１９２】
測定部４１３は、センサコネクタ４１４と血糖値センサチップＳＣの測定用電極との接続を切り替える切替部、血糖値センサチップＳＣからの信号である酸化還元反応により生じる応答電流を電圧に変換する電流／電圧変換部（図２８のＩ／Ｖ変換部）、及びアナログ信号をデジタル信号に変換して制御部４１１に出力するアナログ／デジタル変換部（以下、Ａ／Ｄ変換部という）を有する。測定部４１３は、血糖値センサチップＳＣからの上述の応答電流等を測定し、血糖値を求める場合に用いられている。
【０１９３】
測定部４１３内の切替部により、血糖値センサチップＳＣに設けられた血液検知用電極がセンサコネクタ４１４経由で基準電圧設定部４１８に接続され、電圧が供給される。
【０１９４】
その後、制御部４１１の指令により、血糖値センサチップＳＣの血液検知用電極間に一定の電圧が印加される。当該電圧は、例えば、０．０１〜２．０Ｖ、好ましくは、０．１〜１．０Ｖ、より好ましくは、０．２〜０．５Ｖの電圧である。この電圧は、血糖値センサチップＳＣが血糖値測定装置４００に挿入されてから、血液が血糖値センサチップＳＣの奥、具体的には血糖値センサチップＳＣに設けたキャピラリ部（図示せず)の奥まで導入される間、印加される。
【０１９５】
血糖値センサチップＳＣのキャピラリ部の奥に血液が導入されると、血液検知用電極間に電流が流れる。そのときの単位時間当たりの電流の増加量を識別することによって、キャピラリ部が血液により満たされたことが検知される。
【０１９６】
この電流の値は、電流／電圧変換部により電圧値に変換された後、Ａ／Ｄ変換部によりデジタル値に変換され制御部４１１に入力される。制御部４１１は、この入力したデジタル値に基づいて血液が血糖値センサチップＳＣ内のキャピラリ部の奥にまで導入されたことを検知する。
【０１９７】
血液の導入後、例えば、０〜６０秒、好ましくは、０〜１５秒、より好ましくは、０〜５秒の範囲で、血液中の分析物と血糖値センサチップＳＣに搭載している酵素および酵素と電子メディエータとを反応させる。
【０１９８】
続いて、血糖値センサチップＳＣは、制御部４１１の指令により測定部４１３内の切替部が作動して、センサコネクタ４１４を介して電流／電圧変換部に接続される。これにより、血糖値センサチップＳＣに設けた血液成分濃度測定用電極(例えば、作用極及び対極、図示省略)がセンサコネクタ４１４を介して基準電圧設定部４１８に電気的に接続される。続いて、制御部４１１の指令により、血液成分濃度測定用電極間に一定の電圧が印加される。当該電圧は、例えば、０．１〜５．０Ｖ、好ましくは、１．０〜３．０Ｖ、より好ましくは、１．５〜２．５Ｖの電圧である。電圧の印加時間は、０．１〜３０秒、好ましくは、０．５〜１０秒、より好ましくは、１〜５秒の範囲にある。当該電圧の印加に伴って血液成分濃度測定用電極間に流れた電流量は、センサコネクタ４１４経由で測定部４１３に入力される。そして、同電流量は、電流／電圧変換部により電圧値に変換された後、Ａ／Ｄ変換部によりデジタル値に変換され制御部４１１に入力され、濃度データ、例えば血糖値を示すグルコース濃度データとして、メモリ４１７に格納される。
【０１９９】
上記のように、測定部４１３は、制御部４１１によって、その動作が制御されて、測定された血糖値は本体表示部４０２に表示される。また、メモリ４１７は、血糖値を測定した時刻情報とともに血糖値データを格納している。各部の起電力は上述した電池４６１の起電力によって供給され、この供給電圧により基準電圧設定部４１８ではセンサコネクタ４１４経由で前記血糖値センサチップＳＣの血液成分濃度測定用電極間に基準電圧を供給する。
【０２００】
また、図２８において、温度検出素子４９１は、フレキシブル配線４９６（図２６、図２７参照）経由で測定部４１３に接続されている。測定部４１３にはセンサコネクタ４１４も接続されており、このセンサコネクタ４１４は、図２４に示す装置本体４０１のセンサ挿入口４０４の奥側に配置されたものである。
【０２０１】
すなわち本実施形態においては、血糖値センサチップＳＣをセンサ挿入口４０４（図２４参照）に挿入することで測定部４１３により血糖値を測定する。このとき、その測定値は温度検出素子４９１によって検出した外気温度によって補正され。適切な血糖値が測定される。
【０２０２】
なお、以上の説明で理解されるように、本実施形態においては、温度検出素子４９１で検出した外気温度により測定部４１３で測定した血糖値を補正するものである。この血糖値の補正について、次に詳細に説明する。
【０２０３】
＜４．４  血糖値の補正＞
センサコネクタ４１４に接続される血糖値センサチップＳＣは、よく知られているように電極間に存在する血液中のグルコースが酸化還元反応を起こすことにより生じる電流の大きさを検出するにより、血糖値を算出する。このグルコースの酸化還元反応は、温度により大きな影響を受ける。例えば、夏季においては気温が高いため、この酸化還元反応は活発化され、その結果電流も大きくなる。逆に冬季においては気温が低いため、この酸化還元反応が抑制され、その結果電流は小さくなる。従って、外気温度を考慮せずに血糖値を測定した場合、適切な血糖値を測定できないこともある。
【０２０４】
そこで、本実施形態では、上述のごとく、温度検出素子４９１で検出した外気温度により測定部４１３で測定した血糖値の値を補正するが、特に、温度検出素子４９１による外気温度の測定が適切に行えるようにしたものである。
【０２０５】
ここで、温度補正について簡単に述べる。温度検出素子４９１により外気温度を測定した後、血糖値センサチップＳＣ内の血液成分濃度測定用電極からセンサコネクタ４１４経由で測定部４１３により測定したグルコース濃度のデータを、温度検出素子４９１によって測定した外気温度データにより補正する。通常の補正方法としては、温度による補正テーブルを設けて、メモリ４１７に格納しておき温度毎の補正係数により演算して補正する方法や、予め温度に対応したグルコース濃度のデータ・テーブルを設けてメモリ４１７等に格納しておき、その温度に該当するグルコース濃度を求める方法等がある。
【０２０６】
温度検出素子４９１による温度測定のタイミングは、上記の血糖値の測定前、測定中、測定後のいずれでもよい。また、測定中、温度を継続的に測定し監視していてもよい。この場合、温度の変化により血糖値の測定タイミングや測定時間を可変にすることもできる。例えば、温度変化が大きい場合は、測定タイミングを遅らせる等である。
【０２０７】
更に、温度検出素子４９１は複数設けてもよい。これにより、例えば、２個の温度検出素子４９１の温度を同時に測定して、その平均値を外気温度データとして血糖値測定の補正に活用する。或いは、２個の温度検出素子４９１間の温度差が所定の許容範囲を超えている場合は、異常として本体表示部４０２やブザー４２３（図２８）によりユーザに警告することができる。このように、複数の温度検出素子４９１を相互に連携・監視することで、温度検出の信頼性向上を図ることができる。
【０２０８】
図２９は、本実施形態と従来例の温度特性を示す。図２９は、装置本体４０１外の温度を４５度の温度環境から２５度の温度環境に移動した場合の温度検出素子４９１の温度変化を示すグラフである。
【０２０９】
本実施形態では、上述のごとく、この温度検出素子４９１は、パネル４０３で覆われている装置本体４０１の部分にある開口部４９０内に配置している。このため、図２９のＡ線のごとく、従来例のＢ線よりも早く外気温度を適切に検出することができる。
【０２１０】
具体的な実験では、２５度の環境温度に追従する場合の許容範囲である２７度に到達する時間は、従来例（Ｂ線）では、約２７分も掛かったが、本実施形態（Ａ線）では、約１３分でその温度に到達することができた。しかも従来例では電子部品の発熱等の影響を受けるので、２５度になかなか到達できないが、本実施形態では、電子部品の発熱等の影響を受けないため、目標とする２５度に早く到達できる。
【０２１１】
＜４．５  第４実施形態の特徴＞
以上のように、本実施形態に係る血糖値測定装置４００は、血液の成分を分析するための血糖値センサチップＳＣを装着する装置本体４０１と、装置本体４０１の表面の一部を覆い、装置本体１に脱着可能に装着されるパネル４０３と、血糖値センサチップＳＣと電気的に接続して血液成分を測定する測定部４１３と、装置本体４０１の周囲の環境温度を測定する温度検出素子４０７とを備え、パネル４０３が装着される部分の装置本体４０１の表面近傍に温度検出素子４０７を配置する。このような構成により、血糖値の測定精度を向上させることできる。
【０２１２】
すなわち、パネル４０３が接する装置本体４０１外の外気温度を温度検出素子４０７により検出しやすくなり、その結果、温度検出素子４０７で検出した温度により補正した血糖値は精度が高くなる。
【０２１３】
また、パネル４０３は各種形態のものが準備できるので、必要に応じて、また好みに応じて交換しながら使用することもできる。
【０２１４】
＜４．６  変形例＞
＜４．６．１  変形例１＞
図３０及び図３１は、第４実施形態の変形例に係る血糖値測定装置４００ａを示す。血糖値測定装置４００ａのパネル４０３ａは、その表面に凹凸４３１ａを形成する点で上記実施形態に係る血糖値測定装置４００ａとは異なる。このように凹凸４３１ａを設けることにより、パネル４０３ａの表面積が大きくなるため、より外気温度を温度検出素子４９１に伝達しやすくなる。
【０２１５】
もちろん、この凹凸４３１ａの形状は表面積を拡大する目的であれば、これに限定されない。例えば、図３０及び図３１では、血糖値測定装置４００ａの長手方向に延びる凹凸４３１ａのラインを形成しているが、代わりに長手方向と垂直方向に延びる凹凸のラインを形成してもよい。或いは、凹凸部分を交差させた形状（格子形状）であってもよい。また凹凸の断面形状は方形に限らず、山形でも台形でもよい。更に、歯ブラシの形状のように、パネル４０３ａの表面に多数の棒状突起を設けてもよい。
【０２１６】
＜４．６．２  変形例２＞
図３２及び図３３は、第４実施形態の他の変形例に係る血糖値測定装置４００ｂを示す。血糖値測定装置４００ｂのパネル４０３ｂは、パネル４０３ｂにおける温度検出素子４９１に対応する部分４３１が、その外周部分４３２よりも熱伝導率を高めた材質から形成されている。具体的には、パネル４０３ｂにおける温度検出素子４９１に対応する部分４３１は、熱伝導率の高い、好ましくは２００Ｗ／ｍ・Ｋ以上の材質で形成する。その外周部分４３２は、それよりも熱伝導率が低い、好ましくは３Ｗ／ｍ・Ｋ以下の材質で形成している。
【０２１７】
パネル４０３ｂにおける温度検出素子４９１に対応する部分４３１に使用される熱伝導率の高い材質は、例えば、アルミニウム（２３６Ｗ／ｍ・Ｋ）、銅（４０３Ｗ／ｍ・Ｋ）、銀（４２８Ｗ／ｍ・Ｋ）、金（３１７Ｗ／ｍ・Ｋ）等の金属であり、これらのうちの１種以上を主成分とする合金等であってもよい。
【０２１８】
また、外周部分４３２に使用される熱伝導率の低い材質は、発泡ポリスチレン（：発泡スチロール：０．０３〜０．０４Ｗ／ｍ・Ｋ）、エポキシ樹脂（０．１７〜０．２１Ｗ／ｍ・Ｋ）、ＡＢＳ樹脂（０．１〜０．１８Ｗ／ｍ・Ｋ）、シリコーン・ゴム（０．１５〜０．１６Ｗ／ｍ・Ｋ）等の樹脂系、ゴム材料である。このように外周部分４３２は、操作のためにユーザの手が触れるため、その手の体温がパネル４０３ｂにおける温度検出素子４９１の対応部分４３１に伝達することを防止する。よって、パネル４０３ｂにおける温度検出素子４９１の対応部分４３１は、ユーザの手の温度の影響を受けることなく外気温度を適切に検出することができる。
【０２１９】
＜４．６．３  変形例３＞
図３４は、第４実施形態の更に他の変形例に係る血糖値測定装置４００ｃを示す。上記第４実施形態においては、パネル４０３は電池カバーを兼ねていたが、本変形例においては、パネル４０３ｃは電池カバーを兼ねておらず、装置本体４０１の裏側（本体表示部４０２を設けた面と反対の面）に、別途電池カバー４６２ｃが設けられており、電池４６１も装置本体４０１の裏側に装填される。
【０２２０】
このような構成により、電池４６１と温度検出素子４９１とを隔離して電池４６１の熱が温度検出素子４９１に伝わらないようにすることができる。よって、外気温度を適切に検出することができ、血糖値の測定精度を向上させることができる。
【０２２１】
特に、電池４６１がリチウムイオン等の充電池の場合において、充電時の電池４６１は発熱があり、その対応として有効である。
【０２２２】
なお、この場合は、電池４６１を収納する電池収納部（図示省略）は、血糖値測定装置４００ｃの裏面に設けられる。
【０２２３】
＜５  第５実施形態＞
図３５〜図３７ＡＢＣを参照して、本発明の第５実施形態を説明する。図３５は、パネルが「温度センサまたは湿度センサ付パネル５０３」である生体情報測定装置（血糖値測定装置）５００を示す。具体的には、このパネル５０３は、温度センサ５４０および湿度センサ５３０を搭載している。パネル５０３に温度センサ５４０及び湿度センサ５３０を搭載することにより、より外気に近い位置において温度及び湿度を測定することができる。温度センサ５４０及び湿度センサ５３０は、パネル５０３の表面部に露出するように配置されており、温度センサ５４０はパネルの接続端子５４３と電気的に接続されており、湿度センサ５３０は、同様に接続端子５３３と接続されている。
【０２２４】
接続端子５３３および５４３は、パネル５０３の裏側に設けられている。パネル５３０を測定装置本体５０１に装着した時に、測定装置本体５０１の温度センサ用コネクタ５４５と接続端子５４３とが接触し、測定装置本体の湿度センサ用コネクタ５３５と接続端子５３３とが接触する。それにより、パネル５０３と生体情報測定装置５００の電気回路とが接続される。
【０２２５】
これにより、パネル５０３に設置した温度センサ５４０で測定した温度データを、血糖値の正確な値を求める時の補正に使用することができる。また、血糖値センサＳＣは湿度によりセンサ試薬などが反応して劣化することがあり、湿度センサ５３０で湿度データを測定することにより、所定以上の湿度の場合や、その湿度の状態が所定時間以上経過した場合は、ユーザに適切なセンサ保存を促すための注意・警告などを表示するか、または音による（例：警告ブザーなど）通知をすることができる。
【０２２６】
図３５では、表示部５０２に温度データ、湿度データ及び血糖値（グルコース）データを表示した例を示している。図３５では、各データが測定装置本体５０１の長手方向に沿って表示されている。また、図３５では、温度センサ５４０と湿度センサ５３０を、パネル５０３の表面に露出させているので、温度センサ５４０及び湿度センサ５３０用の開口部５５０を設ける必要がある。その開口部５５０と各センサ（温度センサ５４０、湿度センサ５３０）との隙間をシール部材で充填するか、開口部５５０全体に透明フィルムカバーを設ける。これらは、温度センサ５４０および湿度センサ５３０の開口部５５０から装置本体５０１の内部に、水分、液体、埃、ゴミなどが入らないようにするため、および各センサを保護するためである。
【０２２７】
また、温度センサ５４０と湿度センサ５３０は任意の位置に設けることができ、例えば指などが触れにくい位置に設けることが好ましい。例えば、パネル５０３の装着時にパネル側面を指で掴んだり、測定中に装置本体５０１の側面や裏面を指で掴む可能性がある。そこで、図３５に示すように、パネル５０３の正面部（本体の表示部と同一面側）であって、且つ、その正面部の側端から一定の距離（指の幅の半分〜１本分程度：５〜１２ｍｍ程度）以上離れている箇所に、温度センサ５４０および湿度センサ５３０を配置する。それにより、使用時においてユーザの指が、温度センサ５４０および湿度センサ５３０に接触する可能性が低減される。つまり、人為的な影響を削減することにより、確実な測定になるように考慮されている。
【０２２８】
測定装置本体５０１の内部に、別途の温度センサ５４０’（図３６参照）を設けている場合（従来機種に多い）は、装置本体５０１の内部の温度センサ５４０’とパネル５０３の温度センサ５４０との両方で温度を測定し、その温度差を求めてもよい。温度差が所定値以上である場合には、警告・注意を通知したり、測定を待つように促したりしてもよい。その温度差が所定値以内である場合には、測定値（例えばグルコース測定値）の補正に使用する温度データとして使用する。使用する温度データは、装置本体５０１の内部の温度センサ５４０’とパネル５０３の温度センサ５４０のいずれの温度データを選択してもよいし、それぞれの温度データの平均値を使用してもよい。
【０２２９】
温度センサ５４０や湿度センサ５３０には、装置本体５０１の電気回路から、温度センサ用コネクタ５４５，湿度センサ用コネクタ５３５、及び接続端子５４３，５３３を経由して電気が供給される。温度センサ５４０及び湿度センサ５３０からは、温度信号および湿度信号を、これらの接続部を経由して、本体の電気回路に入力される。そして、温度および湿度が測定される。
【０２３０】
別の変形例では、温度センサ５４０や湿度センサ５３０を、パネル５０３の裏側に配置してもよい。その場合は、水滴や埃が本体に入り込む可能性が低いので、パネル５３０にセンサ用開口部５５０を設けなくてもよい。つまり、上述のようなシール剤によるシールドやフィルムによるカバーなどの処理は必要とされない。パネル裏面に温度センサ５４０を設置する場合は、外気と接するパネル５０３を介して温度を測定する。温度センサ５４０と接する部分のパネル５０３の材質を熱伝導性の高い材料とすることにより、外気温度が温度センサ５４０にスムーズに伝わる。そのため、温度センサ５４０で正確に外気温度を測定することができる。
【０２３１】
図３６には、図３５に示される生体情報測定装置（グルコース測定装置）５００の電気回路ブロックが示される。左の点線枠がパネル５０３を、右側の点線枠が装置本体５０１を示している。図３６には、１つの温度センサ５４０と１つの湿度センサ５３０をパネル５０３に設置した場合を示している。複数の温度センサ５４０または湿度センサ５３０を設けてもよいし、温度センサ５４０および湿度センサ５３０の一方のみを設けてもよい。
【０２３２】
パネル５０３には、温度センサ５４０、湿度センサ５３０、測定装置本体５０１との接続用の接続端子５３３及び５４３が設けられている。装置本体５０１には、接続端子５４３と接触する温度センサ用コネクタ５４５、接続端子５３３と接触する湿度センサ用コネクタ５３５を設ける。パネル５０３の装着時に、装置本体５０１の内部の制御部５６１などとパネル５０３とが電気的に接続し、温度センサ５４０および湿度センサ５３０へ電源を供給する。温度センサ５４０および湿度センサ５３０からは、電気的信号が装置本体５０１に入力され、温度データ及び湿度データが測定される。また、パネル５０３の装置本体５０１への装着により、装置本体５０１のメイン電源が起動するようにしてもよい。
【０２３３】
図３６に示される電気回路ブロックは、生体情報測定装置５００の制御を行う制御部５６１と、制御部５６１に接続された、血糖値センサＳＣでグルコース測定を行なう測定部５６０と、血糖値センサ用コネクタ５６４を経由して血糖値センサＳＣに印加する電圧を供給する基準電圧設定部５６２と、測定装置の操作を指示するボタンなどを含む操作部５６５と、測定結果や現在の状態及びエラーなどを表示する表示部５０２（液晶ディスプレイ）と、完了時やエラー時に音を発するサウンダ５６６と、測定データや設定データなどを記憶しておくメモリ５６８と、制御部５６１に基準クロックを供給する基準クロック部５７０と、各部に電気を供給する電池５６９と、外部機器との接続用の外部Ｉ／Ｆ（インターフェース）部５７１と、無線でＰＣなど外部機器とのデータ通信を行う通信部５６３とが接続されている。
【０２３４】
また、図３６に示されるように、測定部５６０に第２の温度センサ５４０’を設けた場合は、第２の温度センサ５４０’も制御部５６１と接続される。前記測定部５６０は、血糖値センサ用コネクタ５６４を介して、測定装置本体５０１のセンサ挿入口５０４に挿入された血糖値センサＳＣと接続される。また、測定部５６０には、切替部５６０−１、電流／電圧変換部（Ｉ／Ｖ変換部）５６０−２、及びアナログ／デジタル変換部（Ａ／Ｄ変換部）５６０−３がある。測定部５６０は、血糖値センサＳＣの機種判別、血糖値センサＳＣの装着検知、生体試料である血液の血糖値センサＳＣへの点着検知、グルコースの測定、及びヘマトクリット値の測定なども行う。
【０２３５】
測定部５６０で測定されたデジタル情報を制御部５６１に取り込み、グルコースのデータ、ヘマトクリット値、温度データなどのデータを用いて、基準温度におけるグルコース値を検量線や重回帰式の演算テーブルなどを使用して結果を算出する。算出した結果を表示部５０２に表示し、ユーザに通知する。実施形態５では、パネル５０３に設けた温度センサ５４０や湿度センサ５３０から、温度データ及び湿度データを取り込むことができる。そのため、外気温度にほぼ等しい温度データを取り込むことができる。それらのデータを、グルコース値の補正および/または演算に使用することで、グルコース値（血糖値）の測定精度を高める。
【０２３６】
また、湿度センサ５３０からの湿度データを表示部５０２に表示し、湿度の高い日や、湿気の多い場所で使用している場合に、ユーザに警告してもよい。具体的には、湿度データが７０％以上であれば、表示部５０２の湿度表示を「赤色」に変えて目立つようにする。それとともに、注意メッセージ（未使用の血糖値センサＳＣをセンサ専用のボトルに確実に保管しておくように推奨するメッセージなど）を表示部５０２に表示し、ユーザに注意を喚起する。また、湿度データが８５％以上の場合には、サウンダ５６６により警告音を発し、表示部５０２の湿度表示を「赤色」で点滅表示する。それとともに、「測定するには不適」の警告メッセージを表示部５０２にオレンジ〜赤色の色で表示する。
【０２３７】
さらに、温度データと湿度データの両方のデータに基づいてユーザに警告するか否かの判断を行ってもよい。例えば、湿度が８０％以上かつ温度が３０度以上の場合や、温度が５度以下の場合に、「測定条件が不適である。測定場所を変更願います」との警告メッセージを上記メッセージと共に追加して、ユーザに対応を促すことが可能である。
【０２３８】
パネル５０３には、パネルの種類識別用コードが割り付けられた識別コード部５１１が搭載され、その識別コードをコネクタ（接続端子５３３、湿度センサ用コネクタ５３５）を経由して装置本体５０１に入力する。そして、制御部５６１にて、パネル５０３の種類識別を行う。その結果、装着されたパネルが「温度センサ、湿度センサ付パネル５０３」であることを認識する。
【０２３９】
図３５に示される測定装置５００では、パネル５０３に接続端子５３３および５４３を設け、装置本体５０１に温度センサ用コネクタ５４５および湿度センサ用コネクタ５３５を設けた。接続端子５３３および５３５を一つの端子に統合し、温度センサ用コネクタ５４５および湿度センサ用コネクタ５３５を一つのコネクタに統合して、１対の接続部としてもよい。この１対の接続部には、電源、温度センサ、湿度センサ及び識別コード用の各入出力接続端子などを設ける。これにより、接続部の機構もシンプルとなり、装置本体５０１の共通化や小型化がより容易になる。
【０２４０】
図３７Ａ〜Ｃは、図３５に示される生体情報測定装置５００の動作フローを示している。このフローは、「温度センサまたは湿度センサ付パネル５０３」を、測定装置本体５０１に装着した状態におけるフローを示している。以下、各ステップについて説明する。
【０２４１】
ステップＳ５０１：血糖値センサＳＣの装着を確認する。血糖値センサＳＣが装着されたかどうかは、血糖値センサＳＣの接続部５０５（図３５）と接触する測定装置側のコンタクト部の端子間の導通／抵抗値のチェックにより判別している。血糖値センサＳＣの装着が確認されたら、ステップＳ５０２へ移行する。
【０２４２】
Ｓ５０２：測定装置５００のメイン電源をＯＮする。これにより、表示部５０２などが表示できるようになる。測定装置５００にある電源ボタンを押すことにより、メイン電源をＯＮすることもできる。図３５には、プッシュ機能付きのＪＯＧダイアル５２０が示されているが、ＪＯＧダイアル５２０を２秒以上プッシュすることによりメイン電源がＯＮする。
【０２４３】
Ｓ５０３：次に、測定装置本体５０１に装着された血糖値センサＳＣの機種が正しいかをどうか判別する。機種の判別は、血糖値センサＳＣの接続部５０５（図３５参照）に設けられたパターンに基づいて行う。
【０２４４】
Ｓ５０４：機種が適切であれば、Ｓ５０６のステップに移行する。
Ｓ５０５：機種が不適切の場合は、機種エラー（図３７Ａの“Ｅ７”のエラーコード）を表示し、血糖値センサＳＣを適切なものと交換するように表示し、Ｓ５０１へ移行する。もちろん、機種エラーの表示には、エラーコード（Ｅ７）表示に限られることはなく、「機種エラー」を示すメッセージ表示をすることもできる。特に、表示部５０２（図３６など参照）がドットマトリックス表示のカラー液晶などの場合には、エラーメッセージ表示文字の色を赤色に変更して、エラーであることを強調し、視認性を向上させ、ユーザの注意を喚起させ、早急な対応を促すことができる。
【０２４５】
Ｓ５０６：パネル５０３に設けた温度センサ５４０から、温度データを入力する。
Ｓ５０７：パネル５０３に設けた湿度センサ５３０から、湿度データを入力する。
【０２４６】
Ｓ５０８：温度データ及び湿度データが、所定値範囲内である場合には、Ｓ５１０へ移行する（図３７Ｂ）。温度データ及び湿度データが、所定値範囲外である場合は、ステップＳ５０９に進む。上記では、温度データと湿度データの両方を使用しているが、必ずしも両方を使用する必要もない場合がある。例えば、温度が４５度以上または５度以下である場合など、温度データのみで判断してもよい場合や；湿度９０%以上の場合など、湿度データのみで判断してよい場合もある。このような場合は、測定装置５００としての動作保障温度や動作保障湿度などの定格を越える条件であるので、測定に適さないためである。
【０２４７】
Ｓ５０９：温度及ぶ湿度のデータが所定値以上である場合には、測定環境が適切でないとして、場所の移動などを促すよう表示する。例えば、湿度が８０％以上かつ温度が３０度以上の場合や、温度が５度以下の場合や、温度が４５以上の場合や、湿度が９０％以上の場合などは、「測定条件：不適。場所移動」の警告メッセージを表示部５０２に赤色系の文字で表示する。通常色（青色系や緑色系または黒色系）と異なる色で温度表示や湿度表示を行うか、または、それぞれを点滅表示させ、ユーザに対処するように促す。また、サウンダにより警告音を鳴らすこともできる。
【０２４８】
Ｓ５１０：Ｓ５１０以降は、グルコース測定動作を示す。まず、「血液の点着」待ちであることを表示し、血糖値センサＳＣの点着部５０６（図３５）に血液を点着するようにユーザに促す。
【０２４９】
Ｓ５１１：血液の点着がされたかどうかをチェックする。血液の点着をするには、まず、別の穿刺装置などを使用して、指先などを穿刺し、その指先から血液を滲出させて、滲出した血液を血糖値センサＳＣの点着部５０６に点着する。通常、点着する血液の量は、５μＬ以下である。血液の点着を検知するために、グルコース測定に使用する作用電極及び対電極とは別の、血液の流入を検知するための検知電極を血液の流入する供給路と呼ばれるエリア内に配置しておく。血液が流入することで、電極間の抵抗値が変化するので、電気的に検出することができる。検知電極を作用電極や対電極の位置よりも供給路の一番奥に配置することにより、測定の確実性・精度が一層向上する。
【０２５０】
Ｓ５１２：上記のように、検知電極で血液の点着を検知すると、「点着ＯＫ」と表示される。
Ｓ５１３：それと同時に、測定を開始する。
Ｓ５１４：測定完了までの残り時間（秒）をカウントダウン表示する。通常、測定時間は、１０秒以下であり、５秒程度の場合が多い。
【０２５１】
Ｓ５１５：まず、アスコルビン酸などのグルコース測定に影響する物質（妨害物質またはＩＮＴ物質ともいう）の測定を行なうために、印加電圧を血糖値センサＳＣの所定の電極に印加する。
Ｓ５１６：印加電圧をかけることにより、妨害物質の反応電流などから、妨害物質の信号を入力し、測定（ＩＮＴ測定）を行ない、その測定値をメモリ５６８（図３６参照）に記憶する。
【０２５２】
Ｓ５１７：グルコース値を測定するために、グルコース測定用の印加電圧を所定の電極に印加する。
Ｓ５１８：酸化還元反応による反応電流などから、グルコース値を測定する（Glucose測定）。詳しくは、電気回路ブロックの切替部５６０−１により、各電極からの入力信号の切替を行い、酸化還元反応に対応した信号を入力する。入力された信号は、電流／電圧変換部（Ｉ／Ｖ変換部）５６０−２を経由して、電圧に増幅・変換される。アナログ／デジタル変換部（Ａ／Ｄ変換部）５６０−３によって、アナログ値である電圧がデジタル値に変換される。そのデジタル情報を制御部５６１に取り込み、グルコースの測定値として、メモリ５６８に記憶する。上記のＩＮＴ測定及び後述のヘマトクリット測定においても、基本的に同様の方法で、各測定値を得ている。
【０２５３】
Ｓ５１９：続いて、ヘマトクリット値を測定（Ｈｃｔ測定）するために、ヘマトクリット値測定用の印加電圧を所定の電極に印加する（図３７Ｃ）。
Ｓ５２０：ヘマトクリット値を測定し、メモリ５６８に記憶しておく。
【０２５４】
Ｓ５２１：パネル５０３に設置している温度センサ５４０から、温度データを入力し、メモリ５６８に記憶する。
Ｓ５２２：パネル５０３に設置している湿度センサ５３０から、湿度データを入力し、メモリ５６８に記憶する。
【０２５５】
Ｓ５２３：上述のＩＮＴ測定値、グルコース測定値、ヘマトクリット測定値、および温度測定データから、基準条件におけるグルコース値を演算する。グルコース値の演算は、各測定値を基に補正されたグルコース値を求めるための高精度の演算データテーブル（検量線という）を使用して求めることができる。これ以外にも、回帰式、重回帰式、またはこれらの組合せによる演算方法で求めることができる。
【０２５６】
Ｓ５２４：補正された結果であるグルコース値を表示部５０２に表示する。この時、表示部５０２に、測定時の温度データと湿度データとを、ともに表示する（図３５参照）。グルコース値が所定範囲外の場合には、その値の表示色を通常の正常値表示の場合とは異なる色で表示することもできる。例えば、正常値は緑色で表示して、正常値の範囲を越えた数値は黄色で表示する。また、グルコース値が特に高い場合（２００以上など）は、グルコース値をオレンジ色で表示することにより、グルコース値が高い状態を直感的に視認することができる。
【０２５７】
Ｓ５２５：湿度データの測定値をチェックする。
Ｓ５２６：湿度が高い場合は、「高湿度・注意」の注意表示を行なう。例えば、湿度７０％以上の場合、湿度データの表示を通常とは異なる色（例：黄色／橙色など）の表示に変化させる。また、血糖値センサ専用のボトルに収納して適切に保管しておくように、注意喚起させるメッセージ表示も行なう。
【０２５８】
Ｓ５２７：測定が終了したら、測定に使用した血糖値センサを廃棄する。これにより、測定作業が完了する。
【０２５９】
＜６  第６実施形態＞
図３８〜図３９を参照して、本発明の第６実施形態を説明する。図３８〜図３９の生体情報測定装置は、使い捨てバイオセンサを使用する測定装置において、パネルに測定プログラム及び測定の識別機能を設けたものである。従来は、複数種類の測定が必要な患者は、測定毎にそれぞれの測定装置を用意する必要があった。そのため、携帯性の問題や、測定装置毎操作方法が異なるため使い勝手が悪いという問題があった。第６実施形態では、このような問題を解決するもので、測定種類毎に測定装置を用意する必要がなく、該当する測定用パネルを用意するだけでよい。つまり、測定装置は１つでよい。
【０２６０】
具体的には、図３８に示されるように、１）グルコース測定用パネル６０３−１、２）ケトン測定用パネル６０３−２、３）乳酸値測定用パネル６０３−３、４）コレステロール測定用パネルパネル６０３−４を用意する。これ以外にも、ヘモグロビンＡ１ｃ測定パネルなどがあってもよい。そして、それぞれの測定において該当するパネルに交換する。これにより、所望の測定が可能となる。
【０２６１】
また、各測定用パネルには、識別コードが内蔵されているが；さらに、パネルの外形に識別用のドット６５０（例えば点字）を付加したり、パネル側面に識別用の突起部６６０を設けたり、パネル表面の色を異なるものにしたりしている。これにより、ユーザは、視覚的にも、触覚的にも、測定パネルの種類を認識することができる。このように、人為的なミスを最小限にするように配慮されている。
【０２６２】
また、図３８に示されるように、１）グルコースセンサＳＣ−１、２）ケトン測定センサＳＣ−２、３）乳酸値測定センサＳＣ−３、４）コレステロール測定センサＳＣ−４を用意する。また、各測定に対応する測定用バイオセンサの表面色を、それに対応するパネルの表面色と同一系統の色にする。それにより、測定用バイオセンサと測定用パネルとの組み合わせが視覚的に認識できるようにしている。
【０２６３】
これらの測定バイオセンサ（ＳＣ−１など）が生体情報測定装置６００の装置本体６０１に挿入されたときに、装着されている測定パネル（６０３−１〜６０３−４のいずれか）の測定対象と測定バイオセンサ（ＳＣ−１〜ＳＣ−４のいずれか）の測定対象とが一致しているか否かを、測定装置本体６０１の制御部６６１（図３９参照）が自動判別する。測定パネルの測定対象と測定バイオセンサの測定対象とが一致していなかった場合は、警告メッセージを表示部６０２に表示するとともに、サウンダ６６６（図３９参照）により警告音を発する。それにより、ユーザに適切な測定バイオセンサを挿入しなおすことを促す。
【０２６４】
図３９は、図３８に示す生体情報測定装置６００の電気回路ブロック図を示している。この例では、測定用パネル６０３は、測定用のプログラムを内蔵したプログラムメモリ部６１２（ＳＤメモリなど）を備えている。パネル６０３を装着した時に、プログラムメモリ部６１２の測定プログラムが、コネクタ（接続端子６１０およびパネル用コネクタ６１５）経由で、測定装置本体６１０のメモリ部６６８の一部であるプログラムエリア内に取り込まれる。その後、測定が実行される。プログラムの読み込みフローは、前述の第１実施形態における図５に示されるフローと同様である。
【０２６５】
このような構成とすることにより、測定装置６００は、測定パネル６０３に搭載されているプログラムメモリ部６１２の測定プログラムを取り込むためのインストール用ソフトを具備すればよい。またプログラムの交換時に、新しいプログラムをインストールするため、パネル６０３のプログラムを更新すれば、測定装置６０１の各測定プログラムをバージョンアップする必要はなくなる。
【０２６６】
測定センサＳＣを測定装置本体６０１に挿入したときに、装置本体６０１のメイン電源がＯＮになる。そのときに、プログラムの名称とバージョンを一定時間（例えば、２秒から１０秒程度）、表示することにより、測定内容をユーザが視認できる。サウンダ６６６により音声で、プログラムの名称とバージョンを知らせてもよい。
【０２６７】
第６実施形態の生体情報測定装置６００では、複数の測定を必要とするユーザが複数の測定パネルを用意することにより、使い勝手の向上を図ることができる。
【０２６８】
第６実施形態の応用例では、製造現場の効率化を図ることができる。具体的には、測定装置本体６０１は基本的な機能のみを搭載すればよい。つまり、共通のハードウェアを用意することにより、測定装置本体６０１を共通プラットフォーム化する。そして、具体的な測定アルゴリズムであるソフトウェアは、各測定パネル６０３に搭載したプログラムメモリ部６１２に記憶しておく。
【０２６９】
これにより、共通の測定装置本体６０１に、該当する測定プログラムが記憶された測定パネル６０３を装着して最終チェックしたのち、ユーザに提供できる。この場合、前述の例と異なり、測定装置本体６０１に装着した測定パネル６０３は交換できない構造とすることが好ましい。
【０２７０】
これにより、一度測定パネル６０３を装着した測定装置６００は専用機として使用することになる。そのため、市場における混同や間違いもなくなる。デザイン的にも、視覚的にも、触覚的にも明確に違いが判るため、ユーザ側の間違いもなくなる。この応用例は、測定装置６００の製造現場における効率化を図ることができ、測定装置本体６０１のハードウェアやミドルウェアをできるだけ共通化する。その一方で、測定シーケンスなどの測定毎に異なる具体的な部分は、各測定パネル６０３のプログラムメモリ部６１２に搭載したソフトウェアで対応する。従って、将来的にも、拡張性に優れており、開発期間の短縮が図られ、最終的に、必要としているユーザに早く提供できるメリットがある。
【０２７１】
＜７  第７実施形態＞
図４０を参照して、本発明の第７実施形態を説明する。実施形態７は、パネルが仕向け地などを示す機種コードを有する例である。すなわち実施形態７では、測定自体は共通（例：グルコース測定）であるが、パネル（７０３−ＵＳ，７０３−ＥＵＲＯ、７０３−ＡＳＩＡ、７０４−Ｗｏｒｌｄｗｉｄｅ）を出荷する時に、仕向け地や販売先ごとに対応した機種コードをパネルに装着する。
【０２７２】
それにより、各地域に対応した言語で表示部７０２に表示をしたり、各国の言語で音声通知したりすることができる。Ｗｏｒｌｄｗｉｄｅパネルの場合は、英語で表示し、音声で通知することになる。また、国によって保険制度や医療機器の基準などが異なる。そこで、地域毎に、国毎にまたは販売先毎に、それに対応したパネルを用意することで、許可されていない地域での測定装置７００や血糖値センサＳＣの使用を防止したり、認可されていない地域から流通した測定装置７００や血糖値センサＳＣの使用を防止したりすることができる。このようにして、測定装置本体７０１は共通としたまま、地域によっては使用可否を規制することにより安全性や流通の安定化を図ることができる。
【０２７３】
この場合も、一旦装着したパネルは、ユーザ側では交換はできない仕様とすることが好ましい。測定装置７００の電源がＯＮした時に、仕向け地や販売会社のマークなどを一定時間（例：２秒から１０秒程度）表示し、それをユーザが確認する。もちろん、国毎に対応したパネルを用意して、各国言語に対応させて表示することも可能となる。この場合は、仕向け地が、地域単位ではなく、国単位になったということである。
【０２７４】
＜８  第８実施形態＞
図４１を参照して、本発明の第８実施形態を説明する。実施形態８は、外部とのＩ/Ｆ（インターフェース）機能を搭載したパネル８０３と、測定装置本体８０１とを有する生体情報測定装置８００である。測定装置本体８０１は、表示部８０２などを有する。図４１には、ＵＳＢコネクタ８５０を有するパネル８０３が示されている。生体情報測定装置８００のメモリ部（図３６の５６８と同様）には、一定期間（例：１ケ月間、または１，０００回測定分）の測定データが記憶されている。この測定データを、パソコンなどの外部機器に転送することにより、継続的な管理ができる。それにより、患者の生活面でのフォローや医者の知見に活用することができる。パネル８０３と測定装置本体８０１とは、接続端子８１０とコネクタ８１５を介して電気接続される。ここで、上記「測定データ」には、グルコース値、妨害物質データ、Ｈｃｔ（ヘマトクリット）値をはじめ、その測定した日時や、食前／食後／食間の区分や、食後経過時間や、ユーザのメモ（場所、仕事中／休暇中など）や、温度データ、湿度データなど、測定に関係するデータも含まれる。
【０２７５】
Ｉ/Ｆ機能（例えば、ＵＳＢ）を有するパネルの場合、ＰＣなどの外部機器に接続することにより簡単にデータを転送することができる。転送されたデータは、ＰＣのソフトにより一覧表やグラフとして表示されることができ、データを直感的に確認することができるようになる。Ｉ/Ｆの例には、ＵＳＢのほか、Ｂｌｕｅｔｏｏｔｈ（登録商標）、無線ＬＡＮ、Ｗｉ−Ｆｉ、Ｗｉｍａｘなどがあり、またＰＣ以外の外部機器には、スマートフォンなどの携帯電話、タブレット、ＰＤＡなどがある。
【０２７６】
＜９  第９実施形態＞
図４２を参照して、本発明の第９実施形態を説明する。実施形態９は、測定装置本体９０１と交換可能なパネル９０３とを有する生体情報測定装置９００において、パネル９０３を、血糖値センサＳＣなどの使い捨てバイオセンサのセンサ挿入口９０４のカバー部としたものである。測定装置本体９０１は、表示部９０２と、センサ挿入エリア９３０と、センサコンタクト部９３５を含む。センサ挿入口９０４のカバーともなるパネル９０３を外すことで、汚れたりまたは血液などの液体が付着したりしたセンサコンタクト部９３５などを清掃することができる。センサコンタクト部９３５は、血糖値センサＳＣの装着時に血液などが付着しやすい。実施形態９の生体情報測定装置９００は、パネル９０３がセンサ挿入口９０４のカバーの役目も有しており、メンテナンス性を向上させている。従って、測定装置の安定性が向上し、信頼性の維持を図ることができ、安全性も向上する。
【０２７７】
＜１０  その他実施形態＞
＜１０．１＞
上記実施形態においては、パネル３（図３参照）にＲＦ−ＩＤタグ７（図３参照）を配置した例を挙げたが、本発明はこれに限定されない。ＲＦ−ＩＤタグ７は、例えば、装置本体１に常時装着する交換可能な装飾パネルや、血糖値測定装置１００と共に使用されて血糖値測定を行うための、装置本体１に装着される交換可能な外装部品等にＲＦ−ＩＤタグ７を設けてもよい。
【０２７８】
この場合、装飾パネルや外装部品を装置本体１に装着した時にＲＦ−ＩＤタグ７のアンテナ７２と対向する装置本体１の位置にＲＦ−ＩＤ読取アンテナ８を配置する。この配置さえ行えば、上述のいずれの実施形態と同様の動作及び作用効果を実現することが可能である。
【０２７９】
＜１０．２＞
上記実施形態においては、血糖値測定装置を中心に説明したが、本発明に係る生体情報測定装置はこれに限定されず、乳酸、コレステロール、尿酸等の成分、血圧、脈拍等、生体情報に関する測定データを生成する多様な装置に適用することができる。
【０２８０】
＜１０．３＞
上記第１実施形態においては、パネル３側に設けられたＲＦ−ＩＤタグ７から制御情報をＲＦ−ＩＤ読取アンテナ８が受信し、制御ユニット１０はその制御情報に基づき対応する制御プログラムを読み出し、実行するとしていたが、本発明はこれに限定されない。パネル３側のＲＦ−ＩＤタグ７或いはその他のメモリに制御プログラム（所定の情報）そのものを格納しておいてもよい。この場合、ＲＦ−ＩＤ読取アンテナ８はパネル３の装着判定に応じてＲＦ−ＩＤタグ７より制御プログラムを受信し、制御ユニット１０は、受信した制御プログラムをプログラムメモリ１２に格納し、同制御プログラムを読み出し、実行するようにしてもよい。
【０２８１】
＜１０．４＞
上記実施形態においては、パネル３と装置本体１とが通信を行うことによりパネル３の識別が行われていたが、本発明はこれに限定されない。例えば、パネル３と装置本体１のコネクタ接続による電気的な接続、或いはパネル３側に設けた所定の凹凸マークを装置本体１に設けた光学的或いは機械的読取手段により読み取ること等により、パネル３の識別を行うようにしてもよい。この場合、装置本体１やパネル３に通信手段を設ける必要がなく、またパネル３にメモリを設けなくともよい。このような構成であれば、シンプルで、コストダウンも図ることができる。
【０２８２】
＜１０．５＞
上記第１実施形態においては、パネル３が装置本体１に装着されたことにより実行される機能は一つではなく、複数の機能が実行されるようにしてもよい。
【０２８３】
＜１０．６＞
上記第１実施形態〜第４実施形態に係る血糖値測定装置の構成や処理内容は、組み合わせて実施してもよい。
【産業上の利用可能性】
【０２８４】
本発明に係る生体情報測定装置は、血糖値、乳酸、コレステロール、尿酸、血圧、脈拍等の生体情報に関する測定を行う装置として有用である。
【図１】
2012127870.tif 000003
【図２】
2012127870.tif 000004
【図３】
2012127870.tif 000005
【図４】
2012127870.tif 000006
【図５】
2012127870.tif 000007
【図６】
2012127870.tif 000008
【図７】
2012127870.tif 000009
【図８】
2012127870.tif 000010
【図９】
2012127870.tif 000011
【図１０】
2012127870.tif 000012
【図１１】
2012127870.tif 000013
【図１２】
2012127870.tif 000014
【図１３】
2012127870.tif 000015
【図１４】
2012127870.tif 000016
【図１５】
2012127870.tif 000017
【図１６】
2012127870.tif 000018
【図１７】
2012127870.tif 000019
【図１８】
2012127870.tif 000020
【図１９】
2012127870.tif 000021
【図２０】
2012127870.tif 000022
【図２１】
2012127870.tif 000023
【図２２】
2012127870.tif 000024
【図２３】
2012127870.tif 000025
【図２４】
2012127870.tif 000026
【図２５】
2012127870.tif 000027
【図２６】
2012127870.tif 000028
【図２７】
2012127870.tif 000029
【図２８】
2012127870.tif 000030
【図２９】
2012127870.tif 000031
【図３０】
2012127870.tif 000032
【図３１】
2012127870.tif 000033
【図３２】
2012127870.tif 000034
【図３３】
2012127870.tif 000035
【図３４】
2012127870.tif 000036
【図３６】
2012127870.tif 000037
【図３７Ａ】
2012127870.tif 000038
【図３７Ｂ】
2012127870.tif 000039
【図３７Ｃ】
2012127870.tif 000040
【図３９】
2012127870.tif 000041
【図３５】
2012127870.tif 000042
【図３８】
2012127870.tif 000043
【図４０】
2012127870.tif 000044
【図４１】
2012127870.tif 000045
【図４２】
2012127870.tif 000046
【国際調査報告】
2012127870.tif 000047
2012127870.tif 000048
2012127870.tif 000049
2012127870.tif 000050
2012127870.tif 000051